(57)【特許請求の範囲】
【請求項１】
無線通信システムにおける低い遅延（ｌｏｗ  ｌａｔｅｎｃｙ）を要求するＵＬ（Ｕｐｌｉｎｋ）データをＵＥ（Ｕｓｅｒ  Ｅｑｕｉｐｍｅｎｔ）により送信する方法であって、前記方法は、
ｅＮＢ（ｅｎｈａｎｃｅｄ  Ｎｏｄｅ  Ｂ）から、第１のＣＰゾーン（Ｃｏｎｔｅｎｔｉｏｎ  ｂａｓｅｄ  ＰＵＳＣＨ（Ｐｈｙｓｉｃａｌ  Ｕｐｌｉｎｋ  Ｓｈａｒｅｄ  Ｃｈａｎｎｅｌ）  Ｚｏｎｅ）の設定と関連した第１の制御メッセージを受信することであって、前記ＣＰゾーンは、サブフレームごとに設定され、サブフレームごとに設定される各ＣＰゾーンのサイズは異なり、前記第１の制御メッセージは、前記第１のＣＰゾーンの資源情報を含む、ことと、
前記ｅＮＢから、第２のＣＰゾーンの設定と関連した第２の制御メッセージを受信することであって、前記第２のＣＰゾーンは、前記ｅＮＢによってスケジュールされたＵＬ資源に基づいて、前記第１のＣＰゾーンから変更され、前記第２の制御メッセージは、前記第２のＣＰゾーンの資源情報を含む、ことと、
前記ｅＮＢに、前記第２のＣＰゾーンのＣＰＲＢ（Ｃｏｎｔｅｎｔｉｏｎ  ＰＵＳＣＨ  Ｒｅｓｏｕｒｃｅ  Ｂｌｏｃｋ）において前記ＵＬデータを送信することと
を含み、
前記第１のＣＰゾーン及び前記第２のＣＰゾーンの各々は、１つ以上のＣＰＲＢを含み、
前記ｅＮＢがスモールセルに対応する場合、前記ＣＰＲＢは、前記スモールセルに進入したＵＥと一対一にマッピングされる、方法。
【請求項２】
各ＣＰゾーンの前記資源情報は、
前記ＣＰゾーンの資源領域のためのＣＰゾーン資源領域情報、１つのＣＰＲＢの資源サイズのためのＣＰＲＢサイズ情報、前記ＣＰゾーン内に含まれるＣＰＲＢの総個数のためのＣＰＲＢ個数情報、または前記ＣＰＲＢを介して送信される前記ＵＬデータの情報のうちの少なくとも１つを含む、請求項１に記載の方法。
【請求項３】
前記ＣＰゾーン資源領域情報は、
前記ＣＰゾーンの最初資源情報または前記ＣＰゾーンの最後資源情報のうちの少なくとも１つを含む、請求項２に記載の方法。
【請求項４】
前記ＣＰゾーンの前記最初資源情報及び前記最後資源情報は、ＲＢ（Ｒｅｓｏｕｒｃｅ  Ｂｌｏｃｋ）インデックスまたはオフセット値に設定される、請求項３に記載の方法。
【請求項５】
前記第２の制御メッセージは、Ｎ−ｘ番目のサブフレームにおいて受信され、
前記ＵＬデータは、Ｎ番目のサブフレームにおいて送信される、請求項１に記載の方法。
【請求項６】
前記第２の制御メッセージは、
ＵＬ  Ｇｒａｎｔまたはシステム情報メッセージである、請求項１に記載の方法。
【請求項７】
前記第２の制御メッセージが前記ＵＬ  Ｇｒａｎｔである場合、前記第２の制御メッセージに対して、前記ＣＰゾーン資源割当のために新しく定義されるＲＮＴＩ（Ｒａｄｉｏ  Ｎｅｔｗｏｒｋ  Ｔｅｍｐｏｒａｒｙ  Ｉｄｅｎｔｉｆｉｅｒ）によりＣＲＣ（Ｃｙｃｌｉｃａｌ  Ｒｅｄｕｎｄａｎｃｙ  Ｃｈｅｃｋ）マスキングが実行される、請求項６に記載の方法。
【請求項８】
前記新しく定義されるＲＮＴＩは、ＣＰ−ＲＮＴＩ（Ｃｏｎｔｅｎｔｉｏｎ  ｂａｓｅｄ  ＰＵＳＣＨ−Ｒａｄｉｏ  Ｎｅｔｗｏｒｋ  Ｔｅｍｐｏｒａｒｙ  Ｉｄｅｎｔｉｆｉｅｒ）である、請求項７に記載の方法。
【請求項９】
前記第２の制御メッセージは、ＰＤＣＣＨ（Ｐｈｙｓｉｃａｌ  Ｄｏｗｎｌｉｎｋ  Ｃｏｎｔｒｏｌ  Ｃｈａｎｎｅｌ）を利用して送信され、
前記第２の制御メッセージを受信することは、
前記ＰＤＣＣＨの検索区間でＣ−ＲＮＴＩ（Ｃｅｌｌ  ＲＮＴＩ）及び前記ＣＰ−ＲＮＴＩをブラインドデコードすることを含む、請求項８に記載の方法。
【請求項１０】
前記第２の制御メッセージが前記システム情報メッセージである場合、前記第２の制御メッセージに対して、ＳＩ−ＲＮＴＩ（Ｓｙｓｔｅｍ  Ｉｎｆｏｒｍａｔｉｏｎ−Ｒａｄｉｏ  Ｎｅｔｗｏｒｋ  Ｔｅｍｐｏｒａｒｙ  Ｉｄｅｎｔｉｆｉｅｒ）によりＣＲＣマスキングが実行される、請求項６に記載の方法。
【請求項１１】
無線通信システムにおける低い遅延（ｌｏｗ  ｌａｔｅｎｃｙ）を要求するＵＬ（Ｕｐｌｉｎｋ）データを送信するためのＵＥ（Ｕｓｅｒ  Ｅｑｕｉｐｍｅｎｔ）であって、
ＲＦ（Ｒａｄｉｏ  Ｆｒｅｑｕｅｎｃｙ）信号を送信／受信するためのＲＦユニットと、
プロセッサと
を備え、前記プロセッサは、
ｅＮＢ（ｅｎｈａｎｃｅｄ  Ｎｏｄｅ  Ｂ）から、第１のＣＰゾーン（Ｃｏｎｔｅｎｔｉｏｎ  ｂａｓｅｄ  ＰＵＳＣＨ（Ｐｈｙｓｉｃａｌ  Ｕｐｌｉｎｋ  Ｓｈａｒｅｄ  Ｃｈａｎｎｅｌ）  Ｚｏｎｅ）の設定と関連した第１の制御メッセージを受信することであって、前記第１のＣＰゾーンは、サブフレームごとに設定され、サブフレームごとに設定される各ＣＰゾーンのサイズは異なり、前記第１の制御メッセージは、前記第１のＣＰゾーンの資源情報を含む、ことと、
前記ｅＮＢから、第２のＣＰゾーンの設定と関連した第２の制御メッセージを受信することであって、前記第２のＣＰゾーンは、前記ｅＮＢによってスケジュールされたＵＬ資源に基づいて、前記第１のＣＰゾーンから変更され、前記第２の制御メッセージは、前記第２のＣＰゾーンの資源情報を含む、ことと、
前記ｅＮＢに、前記第２のＣＰゾーンのＣＰＲＢ（Ｃｏｎｔｅｎｔｉｏｎ  ＰＵＳＣＨ  Ｒｅｓｏｕｒｃｅ  Ｂｌｏｃｋ）において前記ＵＬデータを送信することと
を実行するように構成され、
前記第１のＣＰゾーン及び前記第２のＣＰゾーンの各々は、１つ以上のＣＰＲＢを含み、
前記ｅＮＢがスモールセルに対応する場合、前記ＣＰＲＢは、前記スモールセルに進入したＵＥと一対一にマッピングされる、ＵＥ（Ｕｓｅｒ  Ｅｑｕｉｐｍｅｎｔ）。
【請求項１２】
各ＣＰゾーンの前記資源情報は、
前記ＣＰゾーンの資源領域のためのＣＰゾーン資源領域情報、１つのＣＰＲＢの資源サイズのためのＣＰＲＢサイズ情報、前記ＣＰゾーン内に含まれるＣＰＲＢの総個数のためのＣＰＲＢ個数情報、または前記ＣＰＲＢを介して送信される前記ＵＬデータの情報のうちの少なくとも１つを含む、請求項１１に記載のＵＥ（Ｕｓｅｒ  Ｅｑｕｉｐｍｅｎｔ）。
【請求項１３】
前記第２の制御メッセージは、
ＵＬ  Ｇｒａｎｔまたはシステム情報メッセージである、請求項１１に記載のＵＥ（Ｕｓｅｒ  Ｅｑｕｉｐｍｅｎｔ）。
【請求項１４】
前記プロセッサは、前記第２の制御メッセージが前記ＵＬ  Ｇｒａｎｔである場合、前記第２の制御メッセージに対して、前記ＣＰゾーン資源割当のために新しく定義されるＲＮＴＩ（Ｒａｄｉｏ  Ｎｅｔｗｏｒｋ  Ｔｅｍｐｏｒａｒｙ  Ｉｄｅｎｔｉｆｉｅｒ）によりＣＲＣ（Ｃｙｃｌｉｃａｌ  Ｒｅｄｕｎｄａｎｃｙ  Ｃｈｅｃｋ）マスキングを実行するようにさらに構成される、請求項１３に記載のＵＥ（Ｕｓｅｒ  Ｅｑｕｉｐｍｅｎｔ）。
【請求項１５】
前記プロセッサは、前記第２の制御メッセージが前記システム情報メッセージである場合、前記第２の制御メッセージに対して、ＳＩ−ＲＮＴＩ（Ｓｙｓｔｅｍ  Ｉｎｆｏｒｍａｔｉｏｎ−Ｒａｄｉｏ  Ｎｅｔｗｏｒｋ  Ｔｅｍｐｏｒａｒｙ  Ｉｄｅｎｔｉｆｉｅｒ）によりＣＲＣマスキングを実行するようにさらに構成される、請求項１３に記載のＵＥ（Ｕｓｅｒ  Ｅｑｕｉｐｍｅｎｔ）。
【発明の詳細な説明】
【技術分野】
【０００１】
本明細書は、無線通信システムに関し、より詳細には、端末が上向きリンクデータを基地局に送信するための方法及びこれを支援する装置に関する。
【背景技術】
【０００２】
移動通信システムは、ユーザの活動性を保障しながら、音声サービスを提供するために開発された。しかし、移動通信システムは、音声だけでなく、データサービスまで領域を拡張し、現在では、爆発的なトラフィックの増加のため、資源の不足現象が引き起こされ、ユーザ達がより高速のサービスを要求するので、より発展した移動通信システムが求められている。
【０００３】
次世代移動通信システムの要求条件は、大きく、爆発的なデータトラフィックの収容、ユーザ当たり送信率の画期的な増加、大幅増加された連結ディバイス個数の収容、非常に低いエンドツーエンド遅延（Ｅｎｄ−ｔｏ−Ｅｎｄ  Ｌａｔｅｎｃｙ）、高エネルギー効率を支援できなければならない。このために、二重連結性（Ｄｕａｌ  Ｃｏｎｎｅｃｔｉｖｉｔｙ）、大規模多重入出力（Ｍａｓｓｉｖｅ  ＭＩＭＯ：Ｍａｓｓｉｖｅ  Ｍｕｌｔｉｐｌｅ  Ｉｎｐｕｔ  Ｍｕｌｔｉｐｌｅ  Ｏｕｔｐｕｔ）、全二重（Ｉｎ−ｂａｎｄ  Ｆｕｌｌ  Ｄｕｐｌｅｘ）、非直交多重接続（ＮＯＭＡ：Ｎｏｎ−Ｏｒｔｈｏｇｏｎａｌ  Ｍｕｌｔｉｐｌｅ  Ａｃｃｅｓｓ）、超広帯域（Ｓｕｐｅｒ  ｗｉｄｅｂａｎｄ）支援、端末ネットワーキング（Ｄｅｖｉｃｅ  Ｎｅｔｗｏｒｋｉｎｇ）等、様々な技術が研究されている。
【発明の概要】
【発明が解決しようとする課題】
【０００４】
本明細書は、セルの基本ＣＰゾーン（Ｃｏｎｔｅｎｔｉｏｎ−ｂａｓｅｄ  ＰＵＳＣＨ  Ｚｏｎｅ）及び基本ＣＰＲＢ（Ｃｏｎｔｅｎｔｉｏｎ  ＰＵＳＣＨ  Ｒｅｓｏｕｒｃｅ  Ｂｌｏｃｋ）を定義し、これを用いてＣＰゾーンを動的に設定するための方法を提供することに目的がある。
【０００５】
また、本明細書は、ＣＰゾーンの最初資源及び／又は最後資源情報を利用してＣＰゾーンをスケジュールされたＵＬ資源領域と区別する方法を提供することに目的がある。
【０００６】
また、本明細書は、基本ＣＰゾーン資源情報及び変更されたＣＰゾーン資源情報を様々な方式によって送信する方法を提供することに目的がある。
【０００７】
本発明においてなそうとする技術的課題は、以上で言及した技術的課題に制限されず、言及していないさらに他の技術的課題は、下記の記載から本発明の属する技術分野における通常の知識を有した者に明確に理解され得るであろう。
【課題を解決するための手段】
【０００８】
本明細書は、無線通信システムにおける低い遅延（ｌｏｗ  ｌａｔｅｎｃｙ）を要求する上向きリンクデータ（ＵＬ  ｄａｔａ）の送信方法において、端末により行われる前記方法は、サブフレーム別に割り当てられる基本ＣＰゾーン（Ｃｏｎｔｅｎｔｉｏｎ  ｂａｓｅｄ  ＰＵＳＣＨ  Ｚｏｎｅ）を知らせるための第１の制御メッセージを基地局から受信するステップと、前記第１の制御メッセージは、前記基本ＣＰゾーンの資源情報を表す基本ＣＰゾーン資源情報を含み、特定サブフレームに割り当てられるＣＰゾーンの変更を知らせるための第２の制御メッセージを前記基地局から受信するステップと、前記第２の制御メッセージは、変更されたＣＰゾーンの資源情報を表す変更されたＣＰゾーン資源情報を含み、前記受信された第２の制御メッセージに基づいて、前記変更されたＣＰゾーンのＣＰＲＢ（Ｃｏｎｔｅｎｔｉｏｎ  ＰＵＳＣＨ  Ｒｅｓｏｕｒｃｅ  Ｂｌｏｃｋ）を介してＵＬ（Ｕｐｌｉｎｋ）データを前記基地局に送信するステップとを含んでなることを特徴とする。
【０００９】
また、本明細書において前記基本ＣＰゾーン資源情報は、前記基本ＣＰゾーンの資源領域を表す基本ＣＰゾーン資源領域情報、１つのＣＰＲＢに対する資源サイズを表すＣＰＲＢサイズ情報、前記基本ＣＰゾーン内に含まれるＣＰＲＢの総個数を表すＣＰＲＢ個数情報、またはＣＰＲＢを介して送信されるＵＬデータの情報のうち、少なくとも１つを含むことを特徴とする。
【００１０】
また、本明細書において前記基本ＣＰゾーン資源領域情報は、前記基本ＣＰゾーンの最初資源情報または前記基本ＣＰゾーンの最後資源情報のうち、少なくとも１つを含むことを特徴とする。
【００１１】
また、本明細書において前記基本ＣＰゾーンの最初及び最後資源情報は、ＲＢ（Ｒｅｓｏｕｒｃｅ  Ｂｌｏｃｋ）インデックスまたはオフセット（ｏｆｆｓｅｔ）値に設定されることを特徴とする。
【００１２】
また、本明細書において前記第２の制御メッセージは、Ｎ−ｘ番目のサブフレームを介して受信され、前記ＵＬデータは、Ｎ番目のサブフレームを介して送信されることを特徴とする。
【００１３】
また、本明細書において前記第２の制御メッセージは、ＵＬ  Ｇｒａｎｔまたはシステム情報（Ｓｙｓｔｅｍ  Ｉｎｆｏｒｍａｔｉｏｎ）メッセージであることを特徴とする。
【００１４】
また、本明細書において前記第２の制御メッセージがＵＬ  Ｇｒａｎｔである場合、前記第２の制御メッセージは、ＣＰゾーン資源割当のために新しく定義されるＲＮＴＩ（Ｒａｄｉｏ  Ｎｅｔｗｏｒｋ  Ｔｅｍｐｏｒａｒｙ  Ｉｄｅｎｔｉｆｉｅｒ）によりＣＲＣ（Ｃｙｃｌｉｃａｌ  Ｒｅｄｕｎｄａｎｃｙ  Ｃｈｅｃｋ）マスキングされることを特徴とする。
【００１５】
また、本明細書において前記新しく定義されるＲＮＴＩは、ＣＰ−ＲＮＴＩ（Ｃｏｎｔｅｎｔｉｏｎ  ｂａｓｅｄ  ＰＵＳＣＨ−Ｒａｄｉｏ  Ｎｅｔｗｏｒｋ  Ｔｅｍｐｏｒａｒｙ  Ｉｄｅｎｔｉｆｉｅｒ）であることを特徴とする。
【００１６】
また、本明細書において前記第２の制御メッセージは、ＰＤＣＣＨ（Ｐｈｙｓｉｃａｌ  Ｄｏｗｎｌｉｎｋ  Ｃｏｎｔｒｏｌ  Ｃｈａｎｎｅｌ）を介して送信され、前記第２の制御メッセージを受信するステップは、前記ＰＤＣＣＨの検索区間（ｓｅａｒｃｈ  ｓｐａｃｅ）でＣ−ＲＮＴＩ及びＣＰ−ＲＮＴＩをブラインドデコード（ｂｌｉｎｄ  ｄｅｃｏｄｉｎｇ）するステップを含むことを特徴とする。
【００１７】
また、本明細書において前記第２の制御メッセージがシステム情報メッセージである場合、前記第２の制御メッセージは、ＳＩ−ＲＮＴＩ（Ｓｙｓｔｅｍ  Ｉｎｆｏｒｍａｔｉｏｎ−Ｒａｄｉｏ  Ｎｅｔｗｏｒｋ  Ｔｅｍｐｏｒａｒｙ  Ｉｄｅｎｔｉｆｉｅｒ）によりＣＲＣ（Ｃｙｃｌｉｃａｌ  Ｒｅｄｕｎｄａｎｃｙ  Ｃｈｅｃｋ）マスキングされることを特徴とする。
【００１８】
また、本明細書において前記端末は、低い遅延（ｌｏｗ  ｌａｔｅｎｃｙ）を要求するデータを有する端末であることを特徴とする。
【００１９】
また、本明細書は、無線通信システムにおける低い遅延（ｌｏｗ  ｌａｔｅｎｃｙ）を要求する上向きリンクデータ（ＵＬ  ｄａｔａ）を送信するための端末において、無線信号を送受信するためのＲＦ（Ｒａｄｉｏ  Ｆｒｅｑｕｅｎｃｙ）ユニット及びプロセッサを備え、前記プロセッサは、サブフレーム別に割り当てられる基本ＣＰゾーン（Ｃｏｎｔｅｎｔｉｏｎ  ｂａｓｅｄ  ＰＵＳＣＨ  Ｚｏｎｅ）を知らせるための第１の制御メッセージを基地局から受信し、特定サブフレームに割り当てられるＣＰゾーンの変更を知らせるための第２の制御メッセージを前記基地局から受信し、及び前記受信された第２の制御メッセージに基づいて、前記変更されたＣＰゾーンのＣＰＲＢ（Ｃｏｎｔｅｎｔｉｏｎ  ＰＵＳＣＨ  Ｒｅｓｏｕｒｃｅ  Ｂｌｏｃｋ）を介してＵＬ（Ｕｐｌｉｎｋ）データを前記基地局に送信するように制御し、前記第１の制御メッセージは、前記基本ＣＰゾーンの資源情報を表す基本ＣＰゾーン資源情報を含み、前記第２の制御メッセージは、変更されたＣＰゾーンの資源情報を表す変更されたＣＰゾーン資源情報を含むことを特徴とする。
本明細書は、例えば、以下の項目も提供する。
（項目１）
無線通信システムにおける低い遅延（ｌｏｗ  ｌａｔｅｎｃｙ）を要求する上向きリンクデータ（ＵＬ  ｄａｔａ）の送信方法において、端末により行われる前記方法は、
サブフレーム別に割り当てられる基本ＣＰゾーン（Ｃｏｎｔｅｎｔｉｏｎ  ｂａｓｅｄ  ＰＵＳＣＨ  Ｚｏｎｅ）を知らせるための第１の制御メッセージを基地局から受信するステップと、
前記第１の制御メッセージは、前記基本ＣＰゾーンの資源情報を表す基本ＣＰゾーン資源情報を含み、
特定サブフレームに割り当てられるＣＰゾーンの変更を知らせるための第２の制御メッセージを前記基地局から受信するステップと、
前記第２の制御メッセージは、変更されたＣＰゾーンの資源情報を表す変更されたＣＰゾーン資源情報を含み、
前記受信された第２の制御メッセージに基づいて、前記変更されたＣＰゾーンのＣＰＲＢ（Ｃｏｎｔｅｎｔｉｏｎ  ＰＵＳＣＨ  Ｒｅｓｏｕｒｃｅ  Ｂｌｏｃｋ）を介してＵＬ（Ｕｐｌｉｎｋ）データを前記基地局に送信するステップと、
を含んでなることを特徴とする方法。
（項目２）
前記基本ＣＰゾーン資源情報は、
前記基本ＣＰゾーンの資源領域を表す基本ＣＰゾーン資源領域情報、１つのＣＰＲＢに対する資源サイズを表すＣＰＲＢサイズ情報、前記基本ＣＰゾーン内に含まれるＣＰＲＢの総個数を表すＣＰＲＢ個数情報、またはＣＰＲＢを介して送信されるＵＬデータの情報のうち、少なくとも１つを含むことを特徴とする項目１に記載の方法。
（項目３）
前記基本ＣＰゾーン資源領域情報は、
前記基本ＣＰゾーンの最初資源情報または前記基本ＣＰゾーンの最後資源情報のうち、少なくとも１つを含むことを特徴とする項目２に記載の方法。
（項目４）
前記基本ＣＰゾーンの最初及び最後資源情報は、ＲＢ（Ｒｅｓｏｕｒｃｅ  Ｂｌｏｃｋ）インデックスまたはオフセット（ｏｆｆｓｅｔ）値に設定されることを特徴とする項目３に記載の方法。
（項目５）
前記第２の制御メッセージは、Ｎ−ｘ番目のサブフレームを介して受信され、
前記ＵＬデータは、Ｎ番目のサブフレームを介して送信されることを特徴とする項目１に記載の方法。
（項目６）
前記第２の制御メッセージは、
ＵＬ  Ｇｒａｎｔまたはシステム情報（Ｓｙｓｔｅｍ  Ｉｎｆｏｒｍａｔｉｏｎ）メッセージであることを特徴とする項目１に記載の方法。
（項目７）
前記第２の制御メッセージがＵＬ  Ｇｒａｎｔである場合、前記第２の制御メッセージは、ＣＰゾーン資源割当のために新しく定義されるＲＮＴＩ（Ｒａｄｉｏ  Ｎｅｔｗｏｒｋ  Ｔｅｍｐｏｒａｒｙ  Ｉｄｅｎｔｉｆｉｅｒ）によりＣＲＣ（Ｃｙｃｌｉｃａｌ  Ｒｅｄｕｎｄａｎｃｙ  Ｃｈｅｃｋ）マスキングされることを特徴とする項目６に記載の方法。
（項目８）
前記新しく定義されるＲＮＴＩは、ＣＰ−ＲＮＴＩ（Ｃｏｎｔｅｎｔｉｏｎ  ｂａｓｅｄ  ＰＵＳＣＨ−Ｒａｄｉｏ  Ｎｅｔｗｏｒｋ  Ｔｅｍｐｏｒａｒｙ  Ｉｄｅｎｔｉｆｉｅｒ）であることを特徴とする項目７に記載の方法。
（項目９）
前記第２の制御メッセージは、ＰＤＣＣＨ（Ｐｈｙｓｉｃａｌ  Ｄｏｗｎｌｉｎｋ  Ｃｏｎｔｒｏｌ  Ｃｈａｎｎｅｌ）を介して送信され、
前記第２の制御メッセージを受信するステップは、
前記ＰＤＣＣＨの検索区間（ｓｅａｒｃｈ  ｓｐａｃｅ）でＣ−ＲＮＴＩ及びＣＰ−ＲＮＴＩをブラインドデコード（ｂｌｉｎｄ  ｄｅｃｏｄｉｎｇ）するステップを含むことを特徴とする項目８に記載の方法。
（項目１０）
前記第２の制御メッセージがシステム情報メッセージである場合、前記第２の制御メッセージは、ＳＩ−ＲＮＴＩ（Ｓｙｓｔｅｍ  Ｉｎｆｏｒｍａｔｉｏｎ−Ｒａｄｉｏ  Ｎｅｔｗｏｒｋ  Ｔｅｍｐｏｒａｒｙ  Ｉｄｅｎｔｉｆｉｅｒ）によりＣＲＣ（Ｃｙｃｌｉｃａｌ  Ｒｅｄｕｎｄａｎｃｙ  Ｃｈｅｃｋ）マスキングされることを特徴とする項目６に記載の方法。
（項目１１）
前記端末は、
低い遅延（ｌｏｗ  ｌａｔｅｎｃｙ）を要求するデータを有する端末であることを特徴とする項目１に記載の方法。
（項目１２）
無線通信システムにおける低い遅延（ｌｏｗ  ｌａｔｅｎｃｙ）を要求する上向きリンクデータ（ＵＬ  ｄａｔａ）を送信するための端末において、
無線信号を送受信するためのＲＦ（Ｒａｄｉｏ  Ｆｒｅｑｕｅｎｃｙ）ユニット及びプロセッサを備え、前記プロセッサは、
サブフレーム別に割り当てられる基本ＣＰゾーン（Ｃｏｎｔｅｎｔｉｏｎ  ｂａｓｅｄ  ＰＵＳＣＨ  Ｚｏｎｅ）を知らせるための第１の制御メッセージを基地局から受信し、
特定サブフレームに割り当てられるＣＰゾーンの変更を知らせるための第２の制御メッセージを前記基地局から受信し、及び
前記受信された第２の制御メッセージに基づいて、前記変更されたＣＰゾーンのＣＰＲＢ（Ｃｏｎｔｅｎｔｉｏｎ  ＰＵＳＣＨ  Ｒｅｓｏｕｒｃｅ  Ｂｌｏｃｋ）を介してＵＬ（Ｕｐｌｉｎｋ）データを前記基地局に送信するように制御し、
前記第１の制御メッセージは、前記基本ＣＰゾーンの資源情報を表す基本ＣＰゾーン資源情報を含み、
前記第２の制御メッセージは、変更されたＣＰゾーンの資源情報を表す変更されたＣＰゾーン資源情報を含むことを特徴とする端末。
【発明の効果】
【００２０】
本明細書は、セル内に基本ＣＰゾーンを設定して、ＵＬ  Ｇｒａｎｔ無しでＵＬデータを送信できるようにすることにより、基地局ｓｃｈｅｄｕｌｉｎｇ基盤のＵＬデータ送信に比べて全体プロシージャ遅延（ｐｒｏｃｅｄｕｒｅ  ｌａｔｅｎｃｙ）を減らすことができるという効果がある。
【００２１】
また、本明細書は、サブフレーム別にＣＰゾーンを動的に設定する方法を介して、不要にＵＬ資源が浪費される問題を解決でき、設定されたＣＰゾーンによりスケジュールされたＵＬデータを次のサブフレームに送信することで発生する遅延（ｌａｔｅｎｃｙ）を最小化させることができるという効果がある。
【００２２】
本発明において得ることができる効果は、以上で言及した効果に制限されず、言及していないさらに他の効果は、下記の記載から本発明の属する技術分野における通常の知識を有した者に明確に理解され得るであろう。
【図面の簡単な説明】
【００２３】
本発明に関する理解を助けるために詳細な説明の一部として含まれる添付図面は、本発明に対する実施形態を提供し、詳細な説明と共に本発明の技術的特徴を説明する。
【００２４】
【図１】図１は、本発明が適用され得るＥ−ＵＴＲＡＮ（ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ）のネットワーク構造の一例を示す。
【００２５】
【図２】図２は、本発明が適用され得る無線通信システムにおける端末とＥ−ＵＴＲＡＮとの間の無線インターフェースプロトコル（ｒａｄｉｏ  ｉｎｔｅｒｆａｃｅ  ｐｒｏｔｏｃｏｌ）構造を示す。
【００２６】
【図３】図３は、本発明が適用され得る３ＧＰＰ  ＬＴＥ／ＬＴＥ−Ａシステムに利用される物理チャネル及びこれらを用いた一般的な信号送信方法を説明するための図である。
【００２７】
【図４】図４は、本発明が適用され得る３ＧＰＰ  ＬＴＥ／ＬＴＥ−Ａにおいて無線フレームの構造を示す。
【００２８】
【図５】図５は、本発明が適用され得る無線通信システムにおける１つの下向きリンクスロットに対する資源グリッド（ｒｅｓｏｕｒｃｅ  ｇｒｉｄ）を例示した図である。
【００２９】
【図６】図６は、本発明が適用され得る無線通信システムにおける下向きリンクサブフレームの構造を示す。
【００３０】
【図７】図７は、本発明が適用され得る無線通信システムにおける上向きリンクサブフレームの構造を示す。
【００３１】
【図８】図８は、本発明が適用され得る無線通信システムにおける端末の上向きリンク資源割当過程を例示する図である。
【００３２】
【図９】図９は、本発明が適用され得る３ＧＰＰ  ＬＴＥ−Ａにおいて要求する制御平面（Ｃ−Ｐｌａｎｅ）での遅延時間（ｌａｔｅｎｃｙ）を説明するための図である。
【００３３】
【図１０】図１０は、本発明が適用され得る３ＧＰＰ  ＬＴＥ−Ａにおいて要求する同期化された端末のドーマント状態（ｄｏｒｍａｎｔ  ｓｔａｔｅ）からアクティブ状態（ａｃｔｉｖｅ  ｓｔａｔｅ）への遷移時間を説明するための図である。
【００３４】
【図１１】図１１は、ランダム接続過程（Ｒａｎｄｏｍ  Ａｃｃｅｓｓ  Ｐｒｏｃｅｄｕｒｅ）の一例を示した図である。
【００３５】
【図１２】図１２は、ＣＰゾーン設定及び競争ＰＵＳＣＨ資源ブロックの一例を示した図である。
【００３６】
【図１３】図１３は、競争ＰＵＳＣＨ資源ブロックのさらに他の一例を示した図である。
【００３７】
【図１４】図１４は、ＣＰゾーンと関連した情報送信方法の一例を示した図である。
【００３８】
【図１５】図１５は、本明細書において提案する動的に設定されたＣＰゾーンの一例を示した図である。
【００３９】
【図１６】図１６は、本明細書において提案するＣＰゾーンを動的に設定するための方法の一例を示したフローチャートである。
【００４０】
【図１７】図１７は、本明細書において提案する様々な基本ＣＰゾーン資源領域の一例を示した図である。
【００４１】
【図１８】図１８は、本明細書において提案する動的ＣＰゾーン設定方法の一例を示したフローチャートである。
【００４２】
【図１９】図１９〜図２１は、本明細書において提案する動的ＣＰゾーン設定方法のさらに他の一例を示したフローチャートである。
【図２０】図１９〜図２１は、本明細書において提案する動的ＣＰゾーン設定方法のさらに他の一例を示したフローチャートである。
【図２１】図１９〜図２１は、本明細書において提案する動的ＣＰゾーン設定方法のさらに他の一例を示したフローチャートである。
【００４３】
【図２２】図２２は、本明細書において提案する方法が適用され得る無線通信装置のブロック構成図を例示する。
【発明を実施するための形態】
【００４４】
以下、本発明に係る好ましい実施形態を添付された図面を参照して詳細に説明する。添付された図面とともに以下に開示される詳細な説明は、本発明の例示的な実施形態を説明しようとするものであり、本発明が実施され得る唯一の実施形態を表そうとするものではない。以下の詳細な説明は、本発明の完全な理解を提供するために具体的な細部事項を含む。しかし、当業者は、本発明がこのような具体的な細部事項無しでも実施され得ることが分かる。
【００４５】
いくつの場合、本発明の概念が曖昧になることを避けるために、公知の構造及び装置は省略されたり、各構造及び装置の核心機能を中心としたブロック図形式で図示され得る。
【００４６】
本明細書において基地局は、端末と直接通信を行うネットワークの終端ノード（ｔｅｒｍｉｎａｌ  ｎｏｄｅ）としての意味を有する。本文書において基地局により行われることと説明された特定動作は、場合によっては基地局の上位ノード（ｕｐｐｅｒ  ｎｏｄｅ）により行われることもできる。すなわち、基地局を含む複数のネットワークノード（ｎｅｔｗｏｒｋ  ｎｏｄｅｓ）からなるネットワークで端末との通信のために行われる様々な動作は、基地局または基地局以外の他のネットワークノードにより行われ得ることは自明である。「基地局（ＢＳ：Ｂａｓｅ  Ｓｔａｔｉｏｎ）」は、固定局（ｆｉｘｅｄ  ｓｔａｔｉｏｎ）、ＮｏｄｅＢ、ｅＮＢ（ｅｖｏｌｖｅｄ−ＮｏｄｅＢ）、ＢＴＳ（ｂａｓｅ  ｔｒａｎｓｃｅｉｖｅｒ  ｓｙｓｔｅｍ）、アクセスポイント（ＡＰ：Ａｃｃｅｓｓ  Ｐｏｉｎｔ）などの用語により代替され得る。また、「端末（Ｔｅｒｍｉｎａｌ）」は、固定されるか、移動性を有することができ、ＵＥ（Ｕｓｅｒ  Ｅｑｕｉｐｍｅｎｔ）、ＭＳ（Ｍｏｂｉｌｅ  Ｓｔａｔｉｏｎ）、ＵＴ（ｕｓｅｒ  ｔｅｒｍｉｎａｌ）、ＭＳＳ（Ｍｏｂｉｌｅ  Ｓｕｂｓｃｒｉｂｅｒ  Ｓｔａｔｉｏｎ）、ＳＳ（Ｓｕｂｓｃｒｉｂｅｒ  Ｓｔａｔｉｏｎ）、ＡＭＳ（Ａｄｖａｎｃｅｄ  Ｍｏｂｉｌｅ  Ｓｔａｔｉｏｎ）、ＷＴ（Ｗｉｒｅｌｅｓｓ  ｔｅｒｍｉｎａｌ）、ＭＴＣ（Ｍａｃｈｉｎｅ−Ｔｙｐｅ  Ｃｏｍｍｕｎｉｃａｔｉｏｎ）装置、Ｍ２Ｍ（Ｍａｃｈｉｎｅ−ｔｏ−Ｍａｃｈｉｎｅ）装置、Ｄ２Ｄ（Ｄｅｖｉｃｅ−ｔｏ−Ｄｅｖｉｃｅ）装置などの用語に代替され得る。
【００４７】
以下において、下向きリンク（ＤＬ：ｄｏｗｎｌｉｎｋ）は、基地局から端末への通信を意味し、上向きリンク（ＵＬ：ｕｐｌｉｎｋ）は、端末から基地局への通信を意味する。下向きリンクにおいて送信機は、基地局の一部であり、受信機は、端末の一部でありうる。上向きリンクにおいて送信機は、端末の一部であり、受信機は、基地局の一部でありうる。
【００４８】
以下の説明において使用される特定用語は、本発明の理解を助けるために提供されたものであり、このような特定用語の使用は、本発明の技術的思想を逸脱しない範囲で他の形態に変更されることができる。
【００４９】
以下の技術は、ＣＤＭＡ（ｃｏｄｅ  ｄｉｖｉｓｉｏｎ  ｍｕｌｔｉｐｌｅａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）、ＮＯＭＡ（ｎｏｎ−ｏｒｔｈｏｇｏｎａｌ  ｍｕｌｔｉｐｌｅ  ａｃｃｅｓｓ）などのような様々な無線接続システムに利用され得る。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術（ｒａｄｉｏ  ｔｅｃｈｎｏｌｏｇｙ）で実現されることができる。ＴＤＭＡは、ＧＳＭ（登録商標）（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術で実現されることができる。ＯＦＤＭＡは、ＩＥＥＥ８０２．１１（Ｗｉ−Ｆｉ）、ＩＥＥＥ８０２．１６（ＷｉＭＡＸ）、ＩＥＥＥ８０２−２０、Ｅ−ＵＴＲＡ（ｅｖｏｌｖｅｄ  ＵＴＲＡ）などのような無線技術で実現されることができる。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）  ＬＴＥ（ｌｏｎｇ  ｔｅｒｍ  ｅｖｏｌｕｔｉｏｎ）は、Ｅ−ＵＴＲＡを使用するＥ−ＵＭＴＳ（ｅｖｏｌｖｅｄ  ＵＭＴＳ）の一部であって、下向きリンクでＯＦＤＭＡを採用し、上向きリンクでＳＣ−ＦＤＭＡを採用する。ＬＴＥ−Ａ（ａｄｖａｎｃｅｄ）は、３ＧＰＰ  ＬＴＥの進化である。
【００５０】
本発明の実施形態は、無線接続システムであるＩＥＥＥ８０２、３ＧＰＰ、及び３ＧＰＰ２のうち、少なくとも１つに開示された標準文書により裏付けられることができる。すなわち、本発明の実施形態のうち、本発明の技術的思想を明確に表すために、説明していないステップまたは部分は、前記文書により裏付けられることができる。また、本文書で開示しているあらゆる用語は、前記標準文書により説明されることができる。
【００５１】
説明を明確にするために、３ＧＰＰ  ＬＴＥ−Ａを中心として記述するが、本発明の技術的特徴がこれに制限されるものではない。
【００５２】
システム一般
【００５３】
図１は、Ｅ−ＵＴＲＡＮ（ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ）のネットワーク構造の一例を示す。
【００５４】
Ｅ−ＵＴＲＡＮシステムは、既存のＵＴＲＡＮシステムから進化したシステムであって、例えば、３ＧＰＰ  ＬＴＥ−Ａシステムでありうる。Ｅ−ＵＴＲＡＮは、端末に制御平面（ｃｏｎｔｒｏｌ  ｐｌａｎｅ）とユーザ平面（ｕｓｅｒ  ｐｌａｎｅ）プロトコルを提供する基地局（ｅＮＢ）等で構成され、基地局は、Ｘ２インターフェースを介して連結される。Ｘ２ユーザ平面インターフェース（Ｘ２−Ｕ）は、基地局間に定義される。Ｘ２−Ｕインターフェースは、ユーザ平面ＰＤＵ（ｐａｃｋｅｔ  ｄａｔａ  ｕｎｉｔ）の保障されない伝達（ｎｏｎ  ｇｕａｒａｎｔｅｅｄ  ｄｅｌｉｖｅｒｙ）を提供する。Ｘ２制御平面インターフェース（Ｘ２−ＣＰ）は、２つの隣接基地局間に定義される。Ｘ２−ＣＰは、基地局間のコンテキスト（ｃｏｎｔｅｘｔ）伝達、ソース基地局とターゲット基地局との間のユーザ平面トンネルの制御、ハンドオーバ関連メッセージの伝達、上向きリンク負荷管理などの機能を果たす。基地局は、無線インターフェースを介して端末と連結され、Ｓ１インターフェースを介してＥＰＣ（ｅｖｏｌｖｅｄ  ｐａｃｋｅｔ  ｃｏｒｅ）に連結される。Ｓ１ユーザ平面インターフェース（Ｓ１−Ｕ）は、基地局とサービングゲートウェイ（Ｓ−ＧＷ：ｓｅｒｖｉｎｇ  ｇａｔｅｗａｙ）間に定義される。Ｓ１制御平面インターフェース（Ｓ１−ＭＭＥ）は、基地局と移動性管理個体（ＭＭＥ：ｍｏｂｉｌｉｔｙ  ｍａｎａｇｅｍｅｎｔ  ｅｎｔｉｔｙ）間に定義される。Ｓ１インターフェースは、ＥＰＳ（ｅｖｏｌｖｅｄ  ｐａｃｋｅｔ  ｓｙｓｔｅｍ）ベアラーサービス管理機能、ＮＡＳ（ｎｏｎ−ａｃｃｅｓｓ  ｓｔｒａｔｕｍ）シグナリングトランスポート機能、ネットワークシェアリング、ＭＭＥ負荷バランシング機能などを行う。Ｓ１インターフェースは、基地局とＭＭＥ／Ｓ−ＧＷ間に複数−対−複数関係（ｍａｎｙ−ｔｏ−ｍａｎｙ−ｒｅｌａｔｉｏｎ）を支援する。
【００５５】
図２は、端末とＥ−ＵＴＲＡＮ間の無線インターフェースプロトコル（ｒａｄｉｏ  ｉｎｔｅｒｆａｃｅ  ｐｒｏｔｏｃｏｌ）構造を示す。図２Ａは、制御平面（ｃｏｎｔｒｏｌ  ｐｌａｎｅ）に対する無線プロトコル構造を示し、図２Ｂは、ユーザ平面（ｕｓｅｒ  ｐｌａｎｅ）に対する無線プロトコル構造を示す。
【００５６】
図２に示すように、端末とＥ−ＵＴＲＡＮとの間の無線インターフェースプロトコルの階層は、通信システムの技術分野に公知となった、広く知られた開放型システム間相互接続（ＯＳＩ：ｏｐｅｎ  ｓｙｓｔｅｍ  ｉｎｔｅｒｃｏｎｎｅｃｔｉｏｎ）標準モデルの下位３階層に基づいて、第１の階層Ｌ１、第２の階層Ｌ２、及び第３の階層Ｌ３に分割されることができる。端末とＥ−ＵＴＲＡＮとの間の無線インターフェースプロトコルは、水平的に物理階層（ｐｈｙｓｉｃａｌ  ｌａｙｅｒ）、データリンク階層（ｄａｔａ  ｌｉｎｋ  ｌａｙｅｒ）、及びネットワーク階層（ｎｅｔｗｏｒｋ  ｌａｙｅｒ）からなり、垂直的には、データ情報送信のためのプロトコルスタック（ｐｒｏｔｏｃｏｌ  ｓｔａｃｋ）ユーザ平面（ｕｓｅｒ  ｐｌａｎｅ）と制御信号（ｓｉｇｎａｌｉｎｇ）伝達のためのプロトコルスタックである制御平面（ｃｏｎｔｒｏｌ  ｐｌａｎｅ）とに区分される。
【００５７】
制御平面は、端末とネットワークが呼を管理するために用いる制御メッセージが送信される通路を意味する。ユーザ平面は、アプリケーション階層で生成されたデータ、例えば、音声データまたはインターネットパケットデータなどが送信される通路を意味する。以下、無線プロトコルの制御平面とユーザ平面の各階層を説明する。
【００５８】
第１の階層Ｌ１である物理階層（ＰＨＹ：ｐｈｙｓｉｃａｌ  ｌａｙｅｒ）は、物理チャネル（ｐｈｙｓｉｃａｌ  ｃｈａｎｎｅｌ）を使用することにより、上位階層への情報送信サービス（ｉｎｆｏｒｍａｔｉｏｎ  ｔｒａｎｓｆｅｒ  ｓｅｒｖｉｃｅ）を提供する。物理階層は、上位レベルに位置した媒体接続制御（ＭＡＣ：ｍｅｄｉｕｍ  ａｃｃｅｓｓ  ｃｏｎｔｒｏｌ）階層に送信チャネル（ｔｒａｎｓｐｏｒｔ  ｃｈａｎｎｅｌ）を介して連結され、送信チャネルを介してＭＡＣ階層と物理階層との間でデータが送信される。送信チャネルは、無線インターフェースを介してデータがどのように、どの特徴で送信されるかによって分類される。そして、互いに異なる物理階層間、送信端の物理階層と受信端の物理階層との間には、物理チャネル（ｐｈｙｓｉｃａｌ  ｃｈａｎｎｅｌ）を介してデータが送信される。物理階層は、ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）方式で変調され、時間と周波数を無線資源として活用する。
【００５９】
物理階層で使用されるいくつかの物理制御チャネルがある。物理下向きリンク制御チャネル（ＰＤＣＣＨ：ｐｈｙｓｉｃａｌ  ｄｏｗｎｌｉｎｋ  ｃｏｎｔｒｏｌ  ｃｈａｎｎｅｌ）は、端末にページングチャネル（ＰＣＨ：ｐａｇｉｎｇ  ｃｈａｎｎｅｌ）と下向きリンク共有チャネル（ＤＬ−ＳＣＨ：ｄｏｗｎｌｉｎｋ  ｓｈａｒｅｄ  ｃｈａｎｎｅｌ）の資源割当及び上向きリンク共有チャネル（ＵＬ−ＳＣＨ：ｕｐｌｉｎｋ  ｓｈａｒｅｄ  ｃｈａｎｎｅｌ）と関連したＨＡＲＱ（ｈｙｂｒｉｄ  ａｕｔｏｍａｔｉｃ  ｒｅｐｅａｔ  ｒｅｑｕｅｓｔ）情報を知らせる。また、ＰＤＣＣＨは、端末に上向きリンク送信の資源割当を知らせる上向きリンク承認（ＵＬ  Ｇｒａｎｔ）を運ぶことができる。物理制御フォーマット指示子チャネル（ＰＤＦＩＣＨ：ｐｈｙｓｉｃａｌ  ｃｏｎｔｒｏｌ  ｆｏｒｍａｔ  ｉｎｄｉｃａｔｏｒ  ｃｈａｎｎｅｌ）は、端末にＰＤＣＣＨ等に使用されるＯＦＤＭシンボルの数を知らせ、サブフレーム毎に送信される。物理ＨＡＲＱ指示子チャネル（ＰＨＩＣＨ：ｐｈｙｓｉｃａｌ  ＨＡＲＱ  ｉｎｄｉｃａｔｏｒ  ｃｈａｎｎｅｌ）は、上向きリンク送信の応答としてＨＡＲＱ  ＡＣＫ（ａｃｋｎｏｗｌｅｄｇｅ）／ＮＡＣＫ（ｎｏｎ−ａｃｋｎｏｗｌｅｄｇｅ）信号を運ぶ。物理上向きリンク制御チャネル（ＰＵＣＣＨ：ｐｈｙｓｉｃａｌ  ｕｐｌｉｎｋ  ｃｏｎｔｒｏｌ  ｃｈａｎｎｅｌ）は、下向きリンク送信に対するＨＡＲＱ  ＡＣＫ／ＮＡＣＫ、スケジューリング要請、及びチャネル品質指示子（ＣＱＩ：ｃｈａｎｎｅｌ  ｑｕａｌｉｔｙ  ｉｎｄｉｃａｔｏｒ）などのような上向きリンク制御情報を運ぶ。物理上向きリンク共有チャネル（ＰＵＳＣＨ：ｐｈｙｓｉｃａｌ  ｕｐｌｉｎｋ  ｓｈａｒｅｄ  ｃｈａｎｎｅｌ）は、ＵＬ−ＳＣＨを運ぶ。
【００６０】
第２の階層Ｌ２のＭＡＣ階層は、論理チャネル（ｌｏｇｉｃａｌ  ｃｈａｎｎｅｌ）を介して上位階層である無線リンク制御（ＲＬＣ：ｒａｄｉｏ  ｌｉｎｋ  ｃｏｎｔｒｏｌ）階層にサービスを提供する。また、ＭＡＣ階層は、論理チャネルと送信チャネルとの間のマッピング及び論理チャネルに属するＭＡＣサービスデータユニット（ＳＤＵ：ｓｅｒｖｉｃｅ  ｄａｔａ  ｕｎｉｔ）の送信チャネル上に物理チャネルに提供される送信ブロック（ｔｒａｎｓｐｏｒｔ  ｂｌｏｃｋ）への多重化／逆多重化機能を含む。
【００６１】
第２の階層Ｌ２のＲＬＣ階層は、信頼性のあるデータ送信を支援する。ＲＬＣ階層の機能は、ＲＬＣ  ＳＤＵの連結（ｃｏｎｃａｔｅｎａｔｉｏｎ）、分割（ｓｅｇｍｅｎｔａｔｉｏｎ）、及び再結合（ｒｅａｓｓｅｍｂｌｙ）を含む。無線ベアラー（ＲＢ：ｒａｄｉｏ  ｂｅａｒｅｒ）が要求する様々なＱｏＳ（ｑｕａｌｉｔｙ  ｏｆ  ｓｅｒｖｉｃｅ）を保障するために、ＲＬＣ階層は、透明モード（ＴＭ：ｔｒａｎｓｐａｒｅｎｔ  ｍｏｄｅ）、非確認モード（ＵＭ：ｕｎａｃｋｎｏｗｌｅｄｇｅｄ  ｍｏｄｅ）、及び確認モード（ＡＭ：ａｃｋｎｏｗｌｅｄｇｅ  ｍｏｄｅ）の３つの動作モードを提供する。ＡＭ  ＲＬＣは、ＡＲＱ（ａｕｔｏｍａｔｉｃ  ｒｅｐｅａｔ  ｒｅｑｕｅｓｔ）を介してエラー訂正を提供する。一方、ＭＡＣ階層がＲＬＣ機能を果たす場合、ＲＬＣ階層は、ＭＡＣ階層の機能ブロックとして含まれることができる。
【００６２】
第２の階層Ｌ２のパケットデータコンバージェンスプロトコル（ＰＤＣＰ：ｐａｃｋｅｔ  ｄａｔａ  ｃｏｎｖｅｒｇｅｎｃｅ  ｐｒｏｔｏｃｏｌ）階層は、ユーザ平面でユーザデータの伝達、ヘッダ圧縮（ｈｅａｄｅｒ  ｃｏｍｐｒｅｓｓｉｏｎ）、及び暗号化（ｃｉｐｈｅｒｉｎｇ）機能を果たす。ヘッダ圧縮機能は、小さい帯域幅を有する無線インターフェースを介してＩＰｖ４（ｉｎｔｅｒｎｅｔ  ｐｒｏｔｏｃｏｌ  ｖｅｒｓｉｏｎ  ４）またはＩＰｖ６（ｉｎｔｅｒｎｅｔ  ｐｒｏｔｏｃｏｌ  ｖｅｒｓｉｏｎ  ６）のようなインターネットプロトコル（ＩＰ：ｉｎｔｅｒｎｅｔ  ｐｒｏｔｏｃｏｌ）パケットを効率的に送信させるために、相対的に大きさが大きく、不要な制御情報を含んでいるＩＰパケットヘッダサイズを減らす機能を意味する。制御平面でのＰＤＣＰ階層の機能は、制御平面データの伝達及び暗号化／完全性保護（ｉｎｔｅｇｒｉｔｙ  ｐｒｏｔｅｃｔｉｏｎ）を含む。
【００６３】
第３の階層Ｌ３の最下位部分に位置した無線資源制御（ＲＲＣ：ｒａｄｉｏｒｅｓｏｕｒｃｅ  ｃｏｎｔｒｏｌ）階層は、制御平面にのみ定義される。ＲＲＣ階層は、端末とネットワークとの間の無線資源を制御する役割を果たす。このために、端末とネットワークは、ＲＲＣ階層を介してＲＲＣメッセージを互いに交換する。ＲＲＣ階層は、無線ベアラー等の設定（ｃｏｎｆｉｇｕｒａｔｉｏｎ）、再設定（ｒｅ−ｃｏｎｆｉｇｕｒａｔｉｏｎ）、及び解除（ｒｅｌｅａｓｅ）と関連して論理チャネル、送信チャネル、及び物理チャネルを制御する。無線ベアラーは、端末とネットワークとの間のデータ送信のために、第２の階層Ｌ２によって提供される論理的な経路を意味する。無線ベアラーが設定されるとは、特定サービスを提供するために、無線プロトコル階層及びチャネルの特性を規定し、それぞれの具体的なパラメータ及び動作方法を設定することを意味する。無線ベアラーは、さらにシグナリング無線ベアラー（ＳＲＢ：ｓｉｇｎａｌｉｎｇ  ＲＢ）とデータ無線ベアラー（ＤＲＢ：ｄａｔａ  ＲＢ）の２つに分けられることができる。ＳＲＢは、制御平面においてＲＲＣメッセージを送信する通路として使用され、ＤＲＢは、ユーザ平面においてユーザデータを送信する通路として使用される。
【００６４】
ＲＲＣ階層上位に位置するＮＡＳ（ｎｏｎ−ａｃｃｅｓｓ  ｓｔｒａｔｕｍ）階層は、セッション管理（ｓｅｓｓｉｏｎ  ｍａｎａｇｅｍｅｎｔ）と移動性管理（ｍｏｂｉｌｉｔｙ  ｍａｎａｇｅｍｅｎｔ）などの機能を果たす。
【００６５】
ｅＮＢを構成する１つのセルは、１．２５、２．５、５、１０、２０Ｍｈｚなどの帯域幅のうちの１つとして設定されて、種々の端末に下向きまたは上向き送信サービスを提供する。互いに異なるセルは、互いに異なる帯域幅を提供するように設定されることができる。
【００６６】
ネットワークから端末にデータを送信する下向き送信チャネル（ｄｏｗｎｌｉｎｋ  ｔｒａｎｓｐｏｒｔ  ｃｈａｎｎｅｌ）は、システム情報を送信する放送チャネル（ＢＣＨ：ｂｒｏａｄｃａｓｔ  ｃｈａｎｎｅｌ）、ページングメッセージを送信するＰＣＨ、ユーザトラフィックや制御メッセージを送信するＤＬ−ＳＣＨなどがある。下向きマルチキャストまたは放送サービスのトラフィック若しくは制御メッセージの場合、ＤＬ−ＳＣＨを介して送信されることができ、或いは別の下向きマルチキャストチャネル（ＭＣＨ：ｍｕｌｔｉｃａｓｔ  ｃｈａｎｎｅｌ）を介して送信されることもできる。一方、端末からネットワークにデータを送信する上向き送信チャネル（ｕｐｌｉｎｋ  ｔｒａｎｓｐｏｒｔ  ｃｈａｎｎｅｌ）としては、初期制御メッセージを送信するランダムアクセスチャネル（ＲＡＣＨ：ｒａｎｄｏｍ  ａｃｃｅｓｓ  ｃｈａｎｎｅｌ）、ユーザトラフィックや制御メッセージを送信するＵＬ−ＳＣＨ（ｕｐｌｉｎｋ  ｓｈａｒｅｄ  ｃｈａｎｎｅｌ）がある。
【００６７】
論理チャネル（ｌｏｇｉｃａｌ  ｃｈａｎｎｅｌ）は、送信チャネルの上位にあり、送信チャネルにマッピングされる。論理チャネルは、制御領域情報の伝達のための制御チャネルとユーザ領域情報の伝達のためのトラフィックチャネルとに区分されることができる。論理チャネルとしては、放送制御チャネル（ＢＣＣＨ：ｂｒｏａｄｃａｓｔ  ｃｏｎｔｒｏｌ  ｃｈａｎｎｅｌ）、ページング制御チャネル（ＰＣＣＨ：ｐａｇｉｎｇ  ｃｏｎｔｒｏｌ  ｃｈａｎｎｅｌ）、共通制御チャネル（ＣＣＣＨ：ｃｏｍｍｏｎ  ｃｏｎｔｒｏｌ  ｃｈａｎｎｅｌ）、専用制御チャネル（ＤＣＣＨ：ｄｅｄｉｃａｔｅｄ  ｃｏｎｔｒｏｌ  ｃｈａｎｎｅｌ）、マルチキャスト制御チャネル（ＭＣＣＨ：ｍｕｌｔｉｃａｓｔ  ｃｏｎｔｒｏｌ  ｃｈａｎｎｅｌ）、専用トラフィックチャネル（ＤＴＣＨ：ｄｅｄｉｃａｔｅｄ  ｔｒａｆｆｉｃ  ｃｈａｎｎｅｌ）、マルチキャストトラフィックチャネル（ＭＴＣＨ：ｍｕｌｔｉｃａｓｔ  ｔｒａｆｆｉｃ  ｃｈａｎｎｅｌ）などがある。
【００６８】
端末とＭＭＥの制御平面に位置したＮＡＳ階層で端末の移動性を管理するために、ＥＭＭ（ＥＰＳ  ｍｏｂｉｌｉｔｙ  ｍａｎａｇｅｍｅｎｔ）登録状態（ＥＭＭ−ＲＥＧＩＳＴＥＲＥＤ）及びＥＭＭ登録解除状態（ＥＭＭ−ＤＥＲＥＧＩＳＴＥＲＥＤ）が定義され得る。ＥＭＭ登録状態及びＥＭＭ登録解除状態は、端末とＭＭＥに適用されることができる。端末の電源を最初につけた場合のように、初期端末はＥＭＭ登録解除状態にあり、この端末がネットワークに接続するために、初期接続（ｉｎｉｔｉａｌ  ａｔｔａｃｈ）手順を介して当該ネットワークに登録する過程を行う。接続手順が成功的に行われれば、端末及びＭＭＥは、ＥＭＭ登録状態に遷移（ｔｒａｎｓｉｔｉｏｎ）される。
【００６９】
また、端末とネットワークとの間のシグナリング連結（ｓｉｇｎａｌｉｎｇ  ｃｏｎｎｅｃｔｉｏｎ）を管理するために、ＥＣＭ（ＥＰＳ  ｃｏｎｎｅｃｔｉｏｎ  ｍａｎａｇｅｍｅｎｔ）連結状態（ＥＣＭ−ＣＯＮＮＥＣＴＥＤ）及びＥＣＭアイドル状態（ＥＣＭ−ＩＤＬＥ）が定義され得る。ＥＣＭ連結状態及びＥＣＭアイドル状態も端末とＭＭＥに適用され得る。ＥＣＭ連結は、端末と基地局との間に設定されるＲＲＣ連結と、基地局とＭＭＥとの間に設定されるＳ１シグナリング連結とで構成される。ＲＲＣ状態は、端末のＲＲＣ階層と基地局のＲＲＣ階層とが論理的に連結（ｃｏｎｎｅｃｔｉｏｎ）されているか否かを表す。すなわち、端末のＲＲＣ階層と基地局のＲＲＣ階層とが連結されている場合、端末は、ＲＲＣ連結状態（ＲＲＣ＿ＣＯＮＮＥＣＴＥＤ）にあるようになる。端末のＲＲＣ階層と基地局のＲＲＣ階層とが連結されていない場合、端末は、ＲＲＣアイドル状態（ＲＲＣ＿ＩＤＬＥ）にあるようになる。
【００７０】
ネットワークは、ＥＣＭ連結状態にある端末の存在をセル単位で把握することができ、端末を効果的に制御することができる。それに対し、ネットワークは、ＥＣＭアイドル状態にある端末の存在を把握することができず、コアネットワーク（ＣＮ：ｃｏｒｅ  ｎｅｔｗｏｒｋ）がセルよりさらに大きい地域単位であるトラッキング領域（ｔｒａｃｋｉｎｇ  ａｒｅａ）単位で管理する。端末がＥＣＭアイドル状態にあるときには、端末は、トラッキング領域で唯一に割り当てられたＩＤを用いてＮＡＳにより設定された不連続受信（ＤＲＸ：Ｄｉｓｃｏｎｔｉｎｕｏｕｓ  Ｒｅｃｅｐｔｉｏｎ）を行う。すなわち、端末は、端末−特定ページングＤＲＸサイクル毎に、特定ページング機会にページング信号をモニタリングすることにより、システム情報及びページング情報のブロードキャストを受信することができる。また、端末がＥＣＭアイドル状態にあるときには、ネットワークは、端末のコンテキスト（ｃｏｎｔｅｘｔ）情報を有していない。したがって、ＥＣＭアイドル状態の端末は、ネットワークの命令を受ける必要無しでセル選択（ｃｅｌｌ  ｓｅｌｅｃｔｉｏｎ）またはセル再選択（ｃｅｌｌ  ｒｅｓｅｌｅｃｔｉｏｎ）のような端末基盤の移動性関連手順を行うことができる。ＥＣＭアイドル状態で端末の位置がネットワークが知っている位置と異なるようになる場合、端末は、トラッキング領域アップデート（ＴＡＵ：ｔｒａｃｋｉｎｇ  ａｒｅａ  ｕｐｄａｔｅ）手順を介してネットワークに当該端末の位置を知らせることができる。それに対し、端末がＥＣＭ連結状態にあるときには、端末の移動性は、ネットワークの命令によって管理される。ＥＣＭ連結状態でネットワークは、端末が属したセルを知る。したがって、ネットワークは、端末にまたは端末からデータを送信及び／又は受信し、端末のハンドオーバのような移動性を制御し、周辺セルに対するセル測定を行うことができる。
【００７１】
上記のように、端末が音声やデータのような通常の移動通信サービスを受けるためには、ＥＣＭ連結状態に遷移しなければならない。端末の電源を最初につけた場合のように、初期端末は、ＥＭＭ状態と同様にＥＣＭアイドル状態にあり、端末が初期接続（ｉｎｉｔｉａｌ  ａｔｔａｃｈ）手順を介して当該ネットワークに成功的に登録するようになると、端末及びＭＭＥは、ＥＣＭ連結状態に遷移（ｔｒａｎｓｉｔｉｏｎ）される。また、端末がネットワークに登録されているが、トラフィックが非活性化されて無線資源が割り当てられていない場合、端末は、ＥＣＭアイドル状態にあり、当該端末に上向きリンク或いは下向きリンクの新しいトラフィックが発生されれば、サービス要請（ｓｅｒｖｉｃｅ  ｒｅｑｕｅｓｔ）手順を介して端末及びＭＭＥは、ＥＣＭ連結状態に遷移（ｔｒａｎｓｉｔｉｏｎ）される。
【００７２】
図３は、３ＧＰＰ  ＬＴＥ−Ａシステムに利用される物理チャネル及びこれらを利用した一般的な信号送信方法を説明するための図である。
【００７３】
電源が消えた状態で再度電源がつけられるか、新しくセルに進入した端末は、Ｓ３０１ステップで基地局と同期を合わせる等の初期セル探索（ｉｎｉｔｉａｌ  ｃｅｌｌ  ｓｅａｒｃｈ）作業を行う。このために、端末は、基地局から主同期チャネル（Ｐ−ＳＣＨ：ｐｒｉｍａｒｙ  ｓｙｎｃｈｒｏｎｉｚａｔｉｏｎ  ｃｈａｎｎｅｌ）及び副同期チャネル（Ｓ−ＳＣＨ：ｓｅｃｏｎｄａｒｙ  ｓｙｎｃｈｒｏｎｉｚａｔｉｏｎ  ｃｈａｎｎｅｌ）を受信して基地局と同期を合わせ、セルＩＤ（ｉｄｅｎｔｉｆｉｅｒ）などの情報を取得する。
【００７４】
その後、端末は、基地局から物理放送チャネル（ＰＢＣＨ：ｐｈｙｓｉｃａｌ  ｂｒｏａｄｃａｓｔ  ｃｈａｎｎｅｌ）信号を受信してセル内の放送情報を取得できる。一方、端末は、初期セル探索ステップで下向きリンク参照信号（ＤＬ  ＲＳ：ｄｏｗｎｌｉｎｋ  ｒｅｆｅｒｅｎｃｅ  ｓｉｇｎａｌ）を受信して下向きリンクチャネル状態を確認できる。
【００７５】
初期セル探索を終えた端末は、Ｓ３０２ステップでＰＤＣＣＨ及びＰＤＣＣＨ情報に応じるＰＤＳＣＨを受信して、さらに具体的なシステム情報を取得できる。
【００７６】
その後、端末は、基地局に接続を完了するために、ステップＳ３０３ないしステップＳ３０６のようなランダムアクセス手順（ｒａｎｄｏｍ  ａｃｃｅｓｓ  ｐｒｏｃｅｄｕｒｅ）を行うことができる。このために、端末は、物理ランダムアクセスチャネル（ＰＲＡＣＨ：ｐｈｙｓｉｃａｌ  ｒａｎｄｏｍ  ａｃｃｅｓｓ  ｃｈａｎｎｅｌ）を介してプリアンブル（ｐｒｅａｍｂｌｅ）を送信し（Ｓ３０３）、ＰＤＣＣＨ及びこれに対応するＰＤＳＣＨを介してプリアンブルに対する応答メッセージを受信できる（Ｓ３０４）。競争基盤ランダムアクセスの場合、端末は、追加的なＰＲＡＣＨ信号の送信（Ｓ３０５）及びＰＤＣＣＨ信号、並びにこれに対応するＰＤＳＣＨ信号の受信（Ｓ３０６）のような衝突解決手順（ｃｏｎｔｅｎｔｉｏｎ  ｒｅｓｏｌｕｔｉｏｎ  ｐｒｏｃｅｄｕｒｅ）を行うことができる。
【００７７】
上述したような手順を行った端末は、その後、一般的な上／下向きリンク信号送信手順としてＰＤＣＣＨ信号及び／又はＰＤＳＣＨ信号の受信（Ｓ３０７）及び物理上向きリンク共有チャネル（ＰＵＳＣＨ）信号及び／又は物理上向きリンク制御チャネル（ＰＵＣＣＨ）信号の送信（Ｓ３０８）を行うことができる。
【００７８】
端末が基地局に送信する制御情報を通称して上向きリンク制御情報（ＵＣＩ：ｕｐｌｉｎｋ  ｃｏｎｔｒｏｌ  ｉｎｆｏｒｍａｔｉｏｎ）と称する。ＵＣＩは、ＨＡＲＱ−ＡＣＫ／ＮＡＣＫ、スケジューリング要請（ＳＲ：ｓｃｈｅｄｕｌｉｎｇ  ｒｅｑｕｅｓｔ）、チャネル品質指示子（ＣＱＩ）、プリコーディング行列指示子（ＰＭＩ：ｐｒｅｃｏｄｉｎｇ  ｍａｔｒｉｘ  ｉｎｄｉｃａｔｏｒ）、ランク指示子（ＲＩ：ｒａｎｋ  ｉｎｄｉｃａｔｉｏｎ）情報などを含む。
【００７９】
ＬＴＥ−ＡシステムにおいてＵＣＩは、一般的にＰＵＣＣＨを介して周期的に送信されるが、制御情報とトラフィックデータが同時に送信されるべき場合、ＰＵＳＣＨを介して送信されることができる。また、ネットワークの要請／指示によりＰＵＳＣＨを介してＵＣＩを非周期的に送信することができる。
【００８０】
図４は、３ＧＰＰ  ＬＴＥ−Ａで無線フレームの構造を示す。
【００８１】
セルラーＯＦＤＭ無線パケット通信システムにおいて、上向きリンク／下向きリンクデータパケット送信は、サブフレーム（ｓｕｂ  ｆｒａｍｅ）単位でなされ、１つのサブフレームは、複数のＯＦＤＭシンボルを含む一定時間区間として定義される。３ＧＰＰ  ＬＴＥ−Ａ標準では、ＦＤＤ（Ｆｒｅｑｕｅｎｃｙ  Ｄｉｖｉｓｉｏｎ  Ｄｕｐｌｅｘ）に適用可能なタイプ１の無線フレーム（ｒａｄｉｏ  ｆｒａｍｅ）構造とＴＤＤ（Ｔｉｍｅ  Ｄｉｖｉｓｉｏｎ  Ｄｕｐｌｅｘ）に適用可能なタイプ２の無線フレーム構造を支援する。ＦＤＤ方式によれば、上向きリンク送信と下向きリンク送信とが互いに異なる周波数帯域を占めながらなされる。ＴＤＤ方式によれば、上向きリンク送信と下向きリンク送信とが同じ周波数帯域を占めながら互いに異なる時間になされる。ＴＤＤ方式のチャネル応答は、実質的に相互的（ｒｅｃｉｐｒｏｃａｌ）である。これは、与えられた周波数領域で下向きリンクチャネル応答と上向きリンクチャネル応答とがほとんど同様であるということを意味する。したがって、ＴＤＤに基づいた無線通信システムにおいて下向きリンクチャネル応答は、上向きリンクチャネル応答から得られるという長所がある。ＴＤＤ方式は、全体周波数帯域を上向きリンク送信と下向きリンク送信とが時分割されるので、基地局による下向きリンク送信と端末による上向きリンク送信とが同時に行われることができない。上向きリンク送信と下向きリンク送信とがサブフレーム単位で区分されるＴＤＤシステムにおいて、上向きリンク送信と下向きリンク送信とは、互いに異なるサブフレームで行われる。
【００８２】
図４Ａは、タイプ１の無線フレームの構造を例示する。下向きリンク無線フレーム（ｒａｄｉｏ  ｆｒａｍｅ）は、１０個のサブフレーム（ｓｕｂ  ｆｒａｍｅ）で構成され、１つのサブフレームは、時間領域（ｔｉｍｅ  ｄｏｍａｉｎ）において２個のスロット（ｓｌｏｔ）で構成される。１つのサブフレームが送信されるのにかかる時間をＴＴＩ（ｔｒａｎｓｍｉｓｓｉｏｎ  ｔｉｍｅ  ｉｎｔｅｒｖａｌ）という。例えば、１つのサブフレームの長さは１ｍｓであり、１つのスロットの長さは０．５ｍｓでありうる。１つのスロットは、時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、周波数領域で複数の資源ブロック（ＲＢ：Ｒｅｓｏｕｒｃｅ  Ｂｌｏｃｋ）を含む。３ＧＰＰ  ＬＴＥ−Ａは、下向きリンクでＯＦＤＭＡを使用するので、ＯＦＤＭシンボルは、１つのシンボル区間（ｓｙｍｂｏｌ  ｐｅｒｉｏｄ）を表現するためのものである。ＯＦＤＭシンボルは、１つのＳＣ−ＦＤＭＡシンボルまたはシンボル区間といえる。資源割当単位としての資源ブロックは、１つのスロットで複数の連続的な副搬送波（ｓｕｂｃａｒｒｉｅｒ）を含む。
【００８３】
１つのスロットに含まれるＯＦＤＭシンボルの数は、循環前置（ＣＰ：Ｃｙｃｌｉｃ  Ｐｒｅｆｉｘ）の構成（ｃｏｎｆｉｇｕｒａｔｉｏｎ）によって変わることができる。ＣＰには、拡張循環前置（ｅｘｔｅｎｄｅｄ  ＣＰ）と一般循環前置（ｎｏｒｍａｌ  ＣＰ）とがある。例えば、ＯＦＤＭシンボルが一般循環前置により構成された場合、１つのスロットに含まれるＯＦＤＭシンボルの数は７個でありうる。ＯＦＤＭシンボルが拡張循環前置により構成された場合、１つのＯＦＤＭシンボルの長さが増えるので、１つのスロットに含まれるＯＦＤＭシンボルの数は、一般循環前置の場合より少ない。拡張循環前置の場合に、例えば、１つのスロットに含まれるＯＦＤＭシンボルの数は６個でありうる。端末が速い速度で移動するなどの場合のように、チャネル状態が不安定な場合、シンボル間干渉をより一層減らすために拡張循環前置が使用され得る。
【００８４】
一般循環前置が使用される場合、１つのスロットは、７個のＯＦＤＭシンボルを含むので、１つのサブフレームは、１４個のＯＦＤＭシンボルを含む。このとき、各サブフレームの１番目の最大３個のＯＦＤＭシンボルは、ＰＤＣＣＨ（ｐｈｙｓｉｃａｌ  ｄｏｗｎｌｉｎｋ  ｃｏｎｔｒｏｌ  ｃｈａｎｎｅｌ）に割り当てられ、残りのＯＦＤＭシンボルは、ＰＤＳＣＨ（ｐｈｙｓｉｃａｌ  ｄｏｗｎｌｉｎｋ  ｓｈａｒｅｄ  ｃｈａｎｎｅｌ）に割り当てられることができる。
【００８５】
図４Ｂは、タイプ２のフレーム構造（ｆｒａｍｅ  ｓｔｒｕｃｔｕｒｅ  ｔｙｐｅ  ２）を示す。タイプ２の無線フレームは、２個のハーフフレーム（ｈａｌｆ  ｆｒａｍｅ）で構成され、各ハーフフレームは、５個のサブフレームで構成され、１個のサブフレームは、２個のスロットで構成される。５個のサブフレームのうち、特に、スペシャルサブフレーム（ｓｐｅｃｉａｌ  ｓｕｂ  ｆｒａｍｅ）は、ＤｗＰＴＳ（Ｄｏｗｎｌｉｎｋ  Ｐｉｌｏｔ  Ｔｉｍｅ  Ｓｌｏｔ）、保護区間（ＧＰ：Ｇｕａｒｄ  Ｐｅｒｉｏｄ）、ＵｐＰＴＳ（Ｕｐｌｉｎｋ  Ｐｉｌｏｔ  Ｔｉｍｅ  Ｓｌｏｔ）で構成される。ＤｗＰＴＳは、端末での初期セル探索、同期化、またはチャネル推定に使用される。ＵｐＰＴＳは、基地局でのチャネル推定と端末の上向きリンク送信同期を合わせるのに使用される。保護区間は、上向きリンクと下向きリンクとの間に下向きリンク信号の多重経路遅延のため、上向きリンクで生じる干渉を除去するための区間である。
【００８６】
上述した無線フレームの構造は、１つの例示に過ぎず、無線フレームに含まれるサブフレームの数またはサブフレームに含まれるスロットの数、スロットに含まれるシンボルの数は様々に変更されることができる。
【００８７】
図５は、１つの下向きリンクスロットに対する資源グリッド（ｒｅｓｏｕｒｃｅ  ｇｒｉｄ）を例示した図である。
【００８８】
図５に示すように、１つの下向きリンクスロットは、時間領域で複数のＯＦＤＭシンボルを含む。ここで、１つの下向きリンクスロットは、７個のＯＦＤＭシンボルを含み、１つの資源ブロックは、周波数領域で１２個の副搬送波を含むことを例示的に記述するが、これに限定されるものではない。
【００８９】
資源グリッド上で各要素（ｅｌｅｍｅｎｔ）を資源要素（ＲＥ：ｒｅｓｏｕｒｃｅ  ｅｌｅｍｅｎｔ）とし、１つの資源ブロックは、１２×７個の資源要素を含む。資源グリッド上の資源要素は、スロット内のインデックスペア（ｐａｉｒ）（ｋ、ｌ）により識別されることができる。ここで、ｋ（ｋ＝０、…、ＮＲＢ×１２−１）は、周波数領域内の副搬送波インデックスであり、ｌ（ｌ＝０、．．．、６）は、時間領域内のＯＦＤＭシンボルインデックスである。下向きリンクスロットに含まれる資源ブロックの数（ＮＲＢ）は、下向きリンク送信帯域幅（ｂａｎｄｗｉｄｔｈ）に従属する。上向きリンクスロットの構造は、下向きリンクスロットの構造と同様でありうる。
【００９０】
図６は、下向きリンクサブフレームの構造を示す。
【００９１】
図６に示すように、サブフレーム内の１番目のスロットで先の最大３個のＯＦＤＭシンボルが制御チャネルが割り当てられる制御領域（ｃｏｎｔｒｏｌ  ｒｅｇｉｏｎ）であり、残りのＯＦＤＭシンボルは、ＰＤＳＣＨが割り当てられるデータ領域（ｄａｔａ  ｒｅｇｉｏｎ）である。３ＧＰＰ  ＬＴＥ−Ａで使用される下向きリンク制御チャネルの一例として、ＰＣＦＩＣＨ、ＰＤＣＣＨ、ＰＨＩＣＨなどがある。
【００９２】
ＰＣＦＩＣＨは、サブフレームの１番目のＯＦＤＭシンボルで送信され、サブフレーム内に制御チャネルの送信のために使用されるＯＦＤＭシンボルの数（すなわち、制御領域の大きさ）に関する情報を運ぶ。ＰＨＩＣＨは、上向きリンクに対する応答チャネルであり、ＨＡＲＱに対するＡＣＫ／ＮＡＣＫ信号を運ぶ。ＰＤＣＣＨを介して送信される制御情報を下向きリンク制御情報（ＤＣＩ：ｄｏｗｎｌｉｎｋ  ｃｏｎｔｒｏｌ  ｉｎｆｏｒｍａｔｉｏｎ）という。下向きリンク制御情報は、上向きリンク資源割当情報、下向きリンク資源割当情報、または任意の端末グループに対する上向きリンク送信（Ｔｘ）パワー制御命令を含む。
【００９３】
基地局は、端末に送ろうとするＤＣＩによってＰＤＣＣＨフォーマットを決定し、制御情報にＣＲＣ（ｃｙｃｌｉｃ  ｒｅｄｕｎｄａｎｃｙ  ｃｈｅｃｋ）を付ける。ＣＲＣには、ＰＤＣＣＨの所有者（ｏｗｎｅｒ）や用途によって固有な識別子（ＲＮＴＩ：ｒａｄｉｏ  ｎｅｔｗｏｒｋ  ｔｅｍｐｏｒａｒｙ  ｉｄｅｎｔｉｆｉｅｒ）がマスキング（ｍａｓｋｉｎｇ）される。特定端末のためのＰＤＣＣＨであれば、端末の固有識別子（例えば、Ｃ−ＲＮＴＩ（ｃｅｌｌ−ＲＮＴＩ））がＣＲＣにマスキングされ得る。または、ページングメッセージのためのＰＤＣＣＨであれば、ページング指示識別子（例えば、Ｐ−ＲＮＴＩ（ｐａｇｉｎｇ−ＲＮＴＩ））がＣＲＣにマスキングされ得る。システム情報ブロック（ＳＩＢ：ｓｙｓｔｅｍ  ｉｎｆｏｒｍａｔｉｏｎ  ｂｌｏｃｋ）のためのＰＤＣＣＨであれば、システム情報識別子（ＳＩ−ＲＮＴＩ（ｓｙｓｔｅｍ  ｉｎｆｏｒｍａｔｉｏｎ−ＲＮＴＩ））がＣＲＣにマスキングされ得る。また、端末のランダムアクセスプリアンブルの送信に対する応答であるランダムアクセス応答を指示するために、ＲＡ−ＲＮＴＩ（ｒａｎｄｏｍ  ａｃｃｅｓｓ−ＲＮＴＩ）がＣＲＣにマスキングされ得る。
【００９４】
図７は、上向きリンクサブフレームの構造を示す。
【００９５】
図７に示すように、上向きリンクサブフレームは、周波数領域で制御領域とデータ領域とに分けることができる。制御領域には、上向きリンク制御情報を運ぶＰＵＣＣＨが割り当てられる。データ領域は、ユーザデータを運ぶＰＵＳＣＨが割り当てられる。上位階層で指示される場合、端末は、ＰＵＳＣＨとＰＵＣＣＨの同時送信を支援できる。１つの端末に対するＰＵＣＣＨには、サブフレーム内に資源ブロックペア（ｐａｉｒ）が割り当てられる。ＰＵＣＣＨに割り当てられる資源ブロックペアに属する資源ブロックは、スロット境界（ｓｌｏｔ  ｂｏｕｎｄａｒｙ）を基準として２個のスロットの各々で互いに異なる副搬送波を占める。これを、ＰＵＣＣＨに割り当てられた資源ブロックペアは、スロット境界で周波数跳躍（ｆｒｅｑｕｅｎｃｙ  ｈｏｐｐｉｎｇ）されるという。
【００９６】
ＰＤＣＣＨ（Ｐｈｙｓｉｃａｌ  Ｄｏｗｎｌｉｎｋ  Ｃｏｎｔｒｏｌ  Ｃｈａｎｎｅｌ）
【００９７】
ＰＤＣＣＨを介して送信される制御情報をダウンリンク制御情報（ＤＣＩ：Ｄｏｗｎｌｉｎｋ  Ｃｏｎｔｒｏｌ  Ｉｎｄｉｃａｔｏｒ）という。ＰＤＣＣＨは、ＤＣＩフォーマットに従って制御情報の大きさ及び用途が異なり、また符号化率に応じて大きさが変わることができる。
【００９８】
表１は、ＤＣＩフォーマットに応じるＤＣＩを示す。
【００９９】
【表１】
0006568872.tif 000002
【０１００】
表１を参照すると、ＤＣＩフォーマットには、ＰＵＳＣＨスケジューリングのためのフォーマット０、一つのＰＤＳＣＨコードワードのスケジューリングのためのフォーマット１、一つのＰＤＳＣＨコードワードの簡単な（ｃｏｍｐａｃｔ）スケジューリングのためのフォーマット１Ａ、ＤＬ−ＳＣＨの非常に簡単なスケジューリングのためのフォーマット１Ｃ、閉ループ（Ｃｌｏｓｅｄ−ｌｏｏｐ）空間多重化（ｓｐａｔｉａｌ  ｍｕｌｔｉｐｌｅｘｉｎｇ）モードでＰＤＳＣＨスケジューリングのためのフォーマット２、開ループ（Ｏｐｅｎｌｏｏｐ）空間多重化モードでＰＤＳＣＨスケジューリングのためのフォーマット２Ａ、アップリンクチャネルのためのＴＰＣ（Ｔｒａｎｓｍｉｓｓｉｏｎ  Ｐｏｗｅｒ  Ｃｏｎｔｒｏｌ）命令の送信のためのフォーマット３及び３Ａ、多重アンテナポート送信モード（ｔｒａｎｓｍｉｓｓｉｏｎ  ｍｏｄｅ）で一つのアップリンクセル内のＰＵＳＣＨスケジューリングのためのフォーマット４がある。
【０１０１】
ＤＣＩフォーマット１Ａは、端末に如何なる送信モードが設定されても、ＰＤＳＣＨスケジューリングのために使用されることができる。
【０１０２】
このような、ＤＣＩフォーマットは、端末別に独立的に適用されることができ、一つのサブフレーム中に複数の端末のＰＤＣＣＨが同時に多重化（ｍｕｌｔｉｐｌｅｘｉｎｇ）されることができる。ＰＤＣＣＨは、一つまたはいくつかの連続的なＣＣＥ（ｃｏｎｔｒｏｌ  ｃｈａｎｎｅｌ  ｅｌｅｍｅｎｔｓ）の集合（ａｇｇｒｅｇａｔｉｏｎ）から構成される。ＣＣＥは、無線チャネルの状態に応じる符号化率をＰＤＣＣＨに提供するために使用される論理的割り当て単位である。ＣＣＥは、４個の資源要素から構成されたＲＥＧの９個のセットに対応する単位のことを意味する。基地局は、一つのＰＤＣＣＨ信号を構成するために、｛１、２、４、８｝個のＣＣＥを使用することができ、このときの｛１、２、４、８｝は、ＣＣＥ集合レベル（ａｇｇｒｅｇａｔｉｏｎ  ｌｅｖｅｌ）と呼ぶ。特定ＰＤＣＣＨの送信のために使用されるＣＣＥの数は、チャネル状態に応じて基地局によって決定される。各端末によって構成されたＰＤＣＣＨは、ＣＣＥに対したＲＥマッピング規則（ＣＣＥ−ｔｏ−ＲＥ  ｍａｐｐｉｎｇ  ｒｕｌｅ）によって各サブフレームの制御チャネル領域にインターリビング（ｉｎｔｅｒｌｅａｖｉｎｇ）されてマッピングされる。ＰＤＣＣＨの位置は、各サブフレームの制御チャネルのためのＯＦＤＭシンボル数、ＰＨＩＣＨグループ数、及び送信アンテナ及び周波数遷移などによって変わることができる。
【０１０３】
上述のように、多重化された各端末のＰＤＣＣＨに独立的にチャネルコーディングが行われ、ＣＲＣ（Ｃｙｃｌｉｃ  Ｒｅｄｕｎｄａｎｃｙ  Ｃｈｅｃｋ）が適用される。各端末の固有の識別子（ＵＥ  ＩＤ）をＣＲＣにマスキング（ｍａｓｋｉｎｇ）して、端末が自身のＰＤＣＣＨを受信することができるようにする。しかしながら、サブフレーム内で割り当てられた制御領域において地局は、端末に該当するＰＤＣＣＨがどこにあるかに関する情報を提供しない。端末は、基地局から送信された制御チャネルを受信するために、自身のＰＤＣＣＨがどの位置でどんなＣＣＥ集合レベルまたはＤＣＩフォーマットで送信されるかが分からないので、端末は、サブフレーム内でＰＤＣＣＨ候補（ｃａｎｄｉｄａｔｅ）の集合をモニタリングして、自身のＰＤＣＣＨを探す。これをブラインドデコード（ＢＤ：Ｂｌｉｎｄ  Ｄｅｃｏｄｉｎｇ）という。ブラインドデコードは、ブラインド探索（Ｂｌｉｎｄ  Ｄｅｔｅｃｔｉｏｎ）またはブラインドサーチ（Ｂｌｉｎｄ  Ｓｅａｒｃｈ）と呼ばれることができる。ブラインドデコードは、端末がＣＲＣ部分に自身の端末識別子（ＵＥ  ＩＤ）をデマスキング（Ｄｅ−Ｍａｓｋｉｎｇ）させた後、ＣＲＣエラーを検討して該当ＰＤＣＣＨが自身の制御チャネルであるかどうかを確認する方法をいう。  
【０１０４】
アップリンク資源割り当て手順
【０１０５】
３ＧＰＰ  ＬＴＥ／ＬＴＥ−Ａシステムの場合、資源の活用を最大化するために、基地局のスケジューリング基盤のデータ送受信方法を使用する。これは、端末が送信するデータがある場合、優先的に基地局にアップリンク資源割り当てを要請し、基地局から割り当てられたアップリンク資源だけを利用してデータを送信できることを意味する。
【０１０６】
図８は、本発明が適用されることができる無線通信システムにおける端末のアップリンク資源割り当て過程を例示する図である。
【０１０７】
アップリンクの無線資源の効率的な使用のために、基地局は、各端末別にどんな種類のデータをどのくらいアップリンクに送信するのかを知っていなければならない。したがって、端末が直接自身が送信しようとするアップリンクデータに関する情報を基地局に伝達し、基地局は、これに基づいて該当端末にアップリンク資源を割り当てることができる。この場合、端末が基地局に伝達するアップリンクデータに関する情報は、自身のバッファに格納されているアップリンクデータの量であって、これをバッファ状態報告（ＢＳＲ：Ｂｕｆｆｅｒ  Ｓｔａｔｕｓ  Ｒｅｐｏｒｔ）と呼ぶ。ＢＳＲは、端末が現在ＴＴＩでＰＵＳＣＨ上の資源が割り当てられ、報告イベント（ｒｅｐｏｒｔｉｎｇ  ｅｖｅｎｔ）がトリガーリングされた場合、ＭＡＣ制御要素（ＭＡＣ  ｃｏｎｔｒｏｌ  ｅｌｅｍｅｎｔ）を使用して送信される。
【０１０８】
図８の（ａ）は、端末がバッファ状態報告（ＢＳＲ：ｂｕｆｆｅｒ  ｓｔａｔｕｓ  ｒｅｐｏｒｔｉｎｇ）のためのアップリンク無線資源が端末に割り当てられない場合に、実際のデータ（ａｃｔｕａｌ  ｄａｔａ）のためのアップリンク資源割り当て過程を例示する。すなわち、ＤＲＸモードからアクティブモードの状態を転換する端末の場合、予め割り当てられたデータ資源がないから、ＰＵＣＣＨを介したＳＲ送信をはじめとして上向きデータに対する資源を要請しなければならなく、この場合、５ステップのアップリンク資源割り当て手順が使用される。
【０１０９】
図８の（ａ）を参照すると、端末は、ＢＳＲを送信するためのＰＵＳＣＨ資源が割り当てられない場合、端末は、ＰＵＳＣＨ資源の割り当てを受けるために、まずスケジューリング要請（ＳＲ：ｓｃｈｅｄｕｌｉｎｇ  ｒｅｑｕｅｓｔ）を基地局に送信する（Ｓ８０１）。
【０１１０】
スケジューリング要請は、報告イベント（ｒｅｐｏｒｔｉｎｇ  ｅｖｅｎｔ）が発生したが、端末が現在のＴＴＩでＰＵＳＣＨ上に無線資源がスケジューリングされない場合、端末がアップリンク送信のためのＰＵＳＣＨ資源の割り当てを受けるために、基地局に要請するために利用される。すなわち、端末は、正規的バッファ状態報告（ｒｅｇｕｌａｒ  ＢＳＲ）がトリガー（ｔｒｉｇｇｅｒ）されたが、ＢＳＲを基地局に送信するためのアップリンク無線資源を有しない場合にＰＵＣＣＨ上にＳＲを送信する。端末は、ＳＲのためのＰＵＣＣＨ資源が設定されたかどうかに応じて、端末は、ＰＵＣＣＨを介してＳＲを送信するか、またはランダムアクセス手順を開始する。具体的に、ＳＲが送信されることができるＰＵＣＣＨ資源は、端末特定的に上位階層（例えば、ＲＲＣ階層）によって設定され、ＳＲ設定（ＳＲ  ｃｏｎｆｉｇｕｒａｔｉｏｎ）は、ＳＲ送信周期（ＳＲ  ｐｅｒｉｏｄｉｃｉｔｙ）及びＳＲサブフレームオフセット情報を含む。
【０１１１】
端末は、基地局からＢＳＲ送信のためのＰＵＳＣＨ資源に対するＵＬ  ｇｒａｎｔを受信すると（Ｓ８０３）、ＵＬ  ｇｒａｎｔにより割り当てられたＰＵＳＣＨ資源を介してトリガーリングされたＢＳＲを基地局に送信する（Ｓ８０５）。
【０１１２】
基地局は、ＢＳＲを介して実際の端末がアップリンクに送信するデータの量を確認し、実際データ送信のためのＰＵＳＣＨ資源に対するＵＬ  ｇｒａｎｔを端末に送信する（Ｓ８０７）。実際データ送信のためのＵＬ  ｇｒａｎｔを受信した端末は、割り当てられたＰＵＳＣＨ資源を介して実際アップリンクデータを基地局に送信する（Ｓ８０９）。
【０１１３】
図８の（ｂ）は、端末がＢＳＲのためのアップリンク無線資源が端末に割り当てられている場合に、実際データのためのアップリンク資源割り当て過程を例示する。
【０１１４】
図８の（ｂ）を参照すると、端末がＢＳＲ送信のためのＰＵＳＣＨ資源が既に割り当てられた場合、端末は、割り当てられたＰＵＳＣＨ資源を介してＢＳＲを送信し、これと共にスケジューリング要請を基地局に送信する（Ｓ８１１）。次に、基地局は、ＢＳＲを介して実際端末がアップリンクに送信するデータの量を確認し、実際データ送信のためのＰＵＳＣＨ資源に対するＵＬ  ｇｒａｎｔを端末に送信する（Ｓ８１３）。実際データ送信のためのＵＬ  ｇｒａｎｔを受信した端末は、割り当てられたＰＵＳＣＨ資源を介して実際アップリンクデータを基地局に送信する（Ｓ８１５）。
【０１１５】
図９は、本発明が適用されることができる３ＧＰＰ  ＬＴＥ−Ａで要求する制御平面（Ｃ−Ｐｌａｎｅ）での遅延時間（ｌａｔｅｎｃｙ）を説明するための図である。
【０１１６】
図９を参照すると、３ＧＰＰ  ＬＴＥ−Ａは、アイドルモード（Ｉｄｌｅ  ｍｏｄｅ）（ＩＰアドレスが割り当てられた状態）から接続モード（Ｃｏｎｎｅｃｔｅｄ  ｍｏｄｅ）への遷移（ｔｒａｎｓｉｔｉｏｎ）時間が５０ｍｓ以下になるように要求する。このとき、遷移時間は、ユーザ平面（Ｕ−Ｐｌａｎｅ）の設定時間（Ｓ１伝達遅延時間は除外）を含む。また、接続モード内でドーマント状態（ｄｏｒｍａｎｔ  ｓｔａｔｅ）からアクティブ状態（ａｃｔｉｖｅ  ｓｔａｔｅ）への転換時間は、１０ｍｓ以下に要求される。
【０１１７】
ドーマント状態（ｄｏｒｍａｎｔ  ｓｔａｔｅ）からアクティブ状態（ａｃｔｉｖｅ  ｓｔａｔｅ）への遷移は、次の通りに４種類のシナリオで発生できる。
【０１１８】
−同期化された端末の場合、アップリンク送信により開始された遷移（Ｕｐｌｉｎｋ  ｉｎｉｔｉａｔｅｄ  ｔｒａｎｓｉｔｉｏｎ、ｓｙｎｃｈｒｏｎｉｚｅｄ）
【０１１９】
−非同期化された端末の場合、アップリンク送信により開始された遷移（Ｕｐｌｉｎｋ  ｉｎｉｔｉａｔｅｄ  ｔｒａｎｓｉｔｉｏｎ、ｕｎｓｙｎｃｈｒｏｎｉｚｅｄ）
【０１２０】
−同期化された端末の場合、ダウンリンク送信により開始された遷移（Ｄｏｗｎｌｉｎｋ  ｉｎｉｔｉａｔｅｄ  ｔｒａｎｓｉｔｉｏｎ、ｓｙｎｃｈｒｏｎｉｚｅｄ）
【０１２１】
−非同期化された端末の場合、ダウンリンク送信により開始された遷移（Ｄｏｗｎｌｉｎｋ  ｉｎｉｔｉａｔｅｄ  ｔｒａｎｓｉｔｉｏｎ、ｕｎｓｙｎｃｈｒｏｎｉｚｅｄ）
【０１２２】
図１０は、本発明が適用されることができる３ＧＰＰ  ＬＴＥ−Ａで要求する同期化された端末のドーマント状態（ｄｏｒｍａｎｔ  ｓｔａｔｅ）からアクティブ状態（ａｃｔｉｖｅ  ｓｔａｔｅ）への遷移時間を説明するための図である。
【０１２３】
図１０では、先の図８で説明した３ステップ（ＢＳＲのためのアップリンク無線資源が割り当てられた場合）アップリンク資源割り当て手順を例示する。ＬＴＥ−Ａシステムでは、アップリンク資源割り当てのために、以下の表２のような遅延時間が要求される。
【０１２４】
表２は、ＬＴＥ−Ａシステムで要求される、同期化された端末の場合、アップリンク送信により開始されたドーマント状態（ｄｏｒｍａｎｔ  ｓｔａｔｅ）からアクティブ状態（ａｃｔｉｖｅ  ｓｔａｔｅ）への遷移時間を表す。
【０１２５】
【表２】
0006568872.tif 000003
【０１２６】
図１０及び表２を参照すると、１ｍｓ／５ｍｓＰＵＣＣＨ循環（ｃｙｃｌｅ）を有するＰＵＣＣＨ区間によって平均的な遅延（ｄｅｌａｙ）が０．５ｍｓ／２．５ｍｓが要求され、端末がＳＲ送信するのに１ｍｓが要求される。そして、基地局がＳＲをデコードしスケジューリング承認（ｓｃｈｅｄｕｌｉｎｇ  ｇｒａｎｔ）を生成するまで３ｍｓが要求され、スケジューリング承認を送信するのに１ｍｓが要求される。そして、端末がスケジューリング承認をデコードし、Ｌ１階層でアップリンクデータをエンコードするまで３ｍｓが要求され、アップリンクデータを送信するのに１ｍｓが要求される。
【０１２７】
このように端末がアップリンクデータを送信する手順を完了するのに総９．５／１５．５ｍｓが要求される。
【０１２８】
ランダム接続過程（ＲＡＣＨプロシージャ）
【０１２９】
図１１ａ及び図１１ｂは、ＬＴＥシステムにおけるランダム接続過程（Ｒａｎｄｏｍ  Ａｃｃｅｓｓ  Ｐｒｏｃｅｄｕｒｅ）の一例を示す。
【０１３０】
ランダム接続過程は、ＲＲＣ＿ＩＤＬＥでの初期接続、無線リンク失敗後の初期接続、ランダム接続過程を要求するハンドオーバー、ＲＲＣ＿ＣＯＮＮＥＣＴＥＤ中にランダム接続過程が要求される上向きリンクまたは下向きリンクデータ発生の際に行われる。ＲＲＣ連結要請メッセージ（ＲＲＣ  Ｃｏｎｎｅｃｔｉｏｎ  Ｒｅｑｕｅｓｔ  Ｍｅｓｓａｇｅ）とセル更新メッセージ（Ｃｅｌｌ  Ｕｐｄａｔｅ  Ｍｅｓｓａｇｅ）、ＵＲＡ（ＵＴＲＡＮ  Ｒｅｇｉｓｔｒａｔｉｏｎ  Ａｒｅａ）更新メッセージ（ＵＲＡ  Ｕｐｄａｔｅ  Ｍｅｓｓａｇｅ）などの一部ＲＲＣメッセージもランダム接続過程を利用して送信される。論理チャネルＣＣＣＨ（Ｃｏｍｍｏｎ  Ｃｏｎｔｒｏｌ  Ｃｈａｎｎｅｌ）、ＤＣＣＨ（Ｄｅｄｉｃａｔｅｄ  Ｃｏｎｔｒｏｌ  Ｃｈａｎｎｅｌ）、ＤＴＣＨ（Ｄｅｄｉｃａｔｅｄ  Ｔｒａｆｆｉｃ  Ｃｈａｎｎｅｌ）が送信チャネルＲＡＣＨにマッピングされ得る。送信チャネルＲＡＣＨは、物理チャネルＰＲＡＣＨ（Ｐｈｙｓｉｃａｌ  Ｒａｎｄｏｍ  Ａｃｃｅｓｓ  Ｃｈａｎｎｅｌ）にマッピングされる。
【０１３１】
端末のＭＡＣ階層が端末物理階層にＰＲＡＣＨ送信を指示すれば、端末物理階層は、まず１つの接続スロット（ａｃｃｅｓｓ  ｓｌｏｔ）と１つのシグネチャー（ｓｉｇｎａｔｕｒｅ）を選択してＰＲＡＣＨプリアンブルを上向きに送信する。ランダム接続過程は、競争基盤（Ｃｏｎｔｅｎｔｉｏｎ  ｂａｓｅｄ）のランダム接続過程と非競争基盤（Ｎｏｎ−ｃｏｎｔｅｎｔｉｏｎ  ｂａｓｅｄ）のランダム接続過程とに区分される。
【０１３２】
図１１ａは、競争基盤（Ｃｏｎｔｅｎｔｉｏｎ  ｂａｓｅｄ）のランダム接続過程の一例を示し、図１１ｂは、非競争基盤（Ｎｏｎ−ｃｏｎｔｅｎｔｉｏｎ  ｂａｓｅｄ）のランダム接続過程の一例を示す。
【０１３３】
まず、競争基盤のランダム接続過程について図１１ａを参照して説明する。
【０１３４】
端末は、システム情報を介して基地局からランダム接続に関する情報を受信して保存する。その後、ランダム接続が必要な場合、端末は、ランダム接続プリアンブル（Ｒａｎｄｏｍ  Ａｃｃｅｓｓ  Ｐｒｅａｍｂｌｅ；メッセージ１ともいう）を基地局に送信する（Ｓ１１０１）。
【０１３５】
基地局が前記端末からランダム接続プリアンブルを受信すれば、前記基地局は、ランダム接続応答メッセージ（Ｒａｎｄｏｍ  Ａｃｃｅｓｓ  Ｒｅｓｐｏｎｓｅ；メッセージ２ともいう）を端末に送信する（Ｓ１１０２）。具体的に、前記ランダム接続応答メッセージに対する下向きスケジュールリング情報は、ＲＡ−ＲＮＴＩ（Ｒａｎｄｏｍ  Ａｃｃｅｓｓ−Ｒａｄｉｏ  Ｎｅｔｗｏｒｋ  Ｔｅｍｐｏｒａｒｙ  Ｉｄｅｎｔｉｆｉｅｒ）によりＣＲＣマスキングされて、Ｌ１またはＬ２制御チャネル（ＰＤＣＣＨ）上で送信されることができる。ＲＡ−ＲＮＴＩによりマスキングされた下向きスケジュールリング信号を受信した端末は、ＰＤＳＣＨ（Ｐｈｙｓｉｃａｌ  Ｄｏｗｎｌｉｎｋ  Ｓｈａｒｅｄ  Ｃｈａｎｎｅｌ）からランダム接続応答メッセージを受信してデコードすることができる。その後、端末は、前記ランダム接続応答メッセージに自分に指示されたランダム接続応答情報があるか確認する。
【０１３６】
自分に指示されたランダム接続応答情報が存在するか否かは、端末が送信したプリアンブルに対するＲＡＩＤ（Ｒａｎｄｏｍ  Ａｃｃｅｓｓ  Ｐｒｅａｍｂｌｅ  ＩＤ）が存在するか否かで確認されることができる。
【０１３７】
前記ランダム接続応答情報は、同期化のためのタイミングオフセット情報を表すＴＡ（Ｔｉｍｉｎｇ  Ａｌｉｇｎｍｅｎｔ）、上向きリンクに使用される無線資源割当情報、端末識別のための臨時識別子（例：Ｔｅｍｐｏｒａｒｙ  Ｃ−ＲＮＴＩ）などを含む。
【０１３８】
端末は、ランダム接続応答情報を受信する場合、前記応答情報に含まれた無線資源割当情報に応じて上向きリンクＳＣＨ（Ｕｐｌｉｎｋ  Ｓｈａｒｅｄ  Ｃｈａｎｎｅｌ）で上向きリンク送信（メッセージ３とも表現する）を行う（Ｓ１１０３）。ここで、上向きリンク送信は、スケジュールされた送信（Ｓｃｈｅｄｕｌｅｄ  Ｔｒａｎｓｍｉｓｓｉｏｎ）として表現されることもできる。
【０１３９】
基地局は、端末から前記上向きリンク送信を受信した後に、競争解決（ｃｏｎｔｅｎｔｉｏｎ  ｒｅｓｏｌｕｔｉｏｎ）のためのメッセージ（メッセージ４とも表現する）を下向きリンク共有チャネル（Ｄｏｗｎｌｉｎｋ  Ｓｈａｒｅｄ  Ｃｈａｎｎｅｌ：ＤＬ−ＳＣＨ）を介して端末に送信する（Ｓ１１０４）。
【０１４０】
次に、非競争基盤のランダム接続過程について図１１ｂを参照して説明する。
【０１４１】
端末がランダム接続プリアンブルを送信する前に、基地局が非競争ランダム接続プリアンブル（Ｎｏｎ−ｃｏｎｔｅｎｔｉｏｎ  Ｒａｎｄｏｍ  Ａｃｃｅｓｓ  Ｐｒｅａｍｂｌｅ）を端末に割り当てる（Ｓ１１１１）。
【０１４２】
非競争ランダム接続プリアンブルは、ハンドオーバー命令やＰＤＣＣＨのような専用シグナリング（Ｄｅｄｉｃａｔｅｄ  Ｓｉｇｎａｌｌｉｎｇ）を介して割り当てられることができる。端末は、非競争ランダム接続プリアンブルを割り当てられた場合、基地局に割り当てられた非競争ランダム接続プリアンブルを送信する（Ｓ１１１２）。
【０１４３】
その後、前記基地局は、競争基盤ランダム接続過程でのＳ１１０２ステップと同様に、ランダム接続応答（Ｒａｎｄｏｍ  Ａｃｃｅｓｓ  Ｒｅｓｐｏｎｓｅ；メッセージ２とも表現する）を端末に送信することができる（Ｓ１１１３）。
【０１４４】
前述されたランダム接続過程において、ランダム接続応答に対してはＨＡＲＱが適用されないが、ランダム接続応答に対する上向きリンク送信や競争解決のためのメッセージに対してはＨＡＲＱが適用され得る。したがって、ランダム接続応答に対して端末はＡＣＫまたはＮＡＣＫを送信する必要がない。
【０１４５】
以下において、５Ｇシステム（または、Ｆｕｔｕｒｅ  ＩＭＴ−Ａｄｖａｎｃｅｄシステム）において端末の制御プレーン遅延（Ｃ−ｐｌａｎｅ  ｌａｔｅｎｃｙ）を最小化するための方法として、競争基盤のＰＵＳＣＨゾーン（Ｃｏｎｔｅｎｔｉｏｎ  ｂａｓｅｄ  ＰＵＳＣＨ  Ｚｏｎｅ、以下、「ＣＰゾーン」という。）定義、ＣＰゾーン設定方法、ＣＰゾーン利用方法などと関連した事項について図面を参照して具体的に説明する。
【０１４６】
ＣＰゾーン定義及び設定
【０１４７】
図１２ａは、ＣＰゾーン設定の一例を示し、図１２ｂは、ＣＰゾーンを構成する競争ＰＵＳＣＨ資源ブロック（Ｃｏｎｔｅｎｔｉｏｎ  ＰＵＳＣＨ  Ｒｅｓｏｕｒｃｅ  Ｂｌｏｃｋ：ＣＰＲＢ）の一例を示した図である。
【０１４８】
まず、ＣＰゾーンとは、端末の上向きリンクデータ（ＵＬ  ｄａｔａ）送信と関連して、基地局から別の資源割当スケジュールリング無しで端末が直ちにＵＬ  ｄａｔａを送信できる領域を意味する。
【０１４９】
前記ＣＰゾーンの場合、ｌｏｗ  ｌａｔｅｎｃｙを要求する端末のＵＬ  ｄａｔａ送信に主に使用されることができる。
【０１５０】
図１２ａに示すように、１２１０は、ＰＵＣＣＨが送信される資源領域であり、１２２０は、ＣＰゾーンに該当する。
【０１５１】
前記ＣＰゾーンは、ＵＬ  ｄａｔａを送信できるＰＵＳＣＨ領域の特定資源領域に割り当てられることができる。すなわち、前記ＣＰゾーンは、１つのサブフレーム（Ｓｕｂ−Ｆｒａｍｅ：ＳＦ）または１つ以上の連続したＳｕｂ−Ｆｒａｍｅに割り当てられることができ、特定Ｓｕｂ−Ｆｒａｍｅには、前記ＣＰゾーンが割り当てられないことがある。
【０１５２】
図１２ｂは、ＣＰＲＢを示すものであって、ＣＰゾーンは、１つ以上のＣＰＲＢで構成されることができる。
【０１５３】
ＣＰＲＢは、１つの端末が占有できるＣＰゾーン内の資源領域を表すものであって、１つのＣＰＲＢ（１２３０）に１つの端末がマッピングされるが、これに限定されず、端末の能力、端末が送信するＵＬ  ｄａｔａ量などを考慮して１つの端末に複数のＣＰＲＢがマッピングされることができ、複数の端末が１つのＣＰＲＢを共有することもできる。
【０１５４】
図１２ｂに示されたように、１つのＣＰゾーンには、Ｎ（Ｎは自然数）個のＣＰＲＢが定義され得る。
【０１５５】
一例として、ＣＰゾーンを用いる端末が３個あり（端末１、端末２、端末３）、ＣＰゾーンを構成するＣＰＲＢが４個（ＣＰＲＢ＃１、ＣＰＲＢ＃２、ＣＰＲＢ＃３、ＣＰＲＢ＃４）ある場合、端末１にはＣＰＲＢ＃１、端末２にはＣＰＲＢ＃２、端末３にはＣＰＲＢ＃３が各々割り当てられ得る。
【０１５６】
ここで、それぞれの端末に割り当てられるＣＰＲＢは、基地局により設定されるか、基地局からＣＰゾーンのＣＰＲＢ関連情報を端末が受信した場合には、各端末が希望するＣＰＲＢを基地局に要請することによって割り当てられることもできる。
【０１５７】
また、基地局でＣＰＲＢをそれぞれの端末に割り当てるにあたって、セルで収容することができる端末数（またはユーザ数）が制限的なスモールセル（ｓｍａｌｌ  ｃｅｌｌ）の場合、前記基地局は、セルに進入した端末とＣＰＲＢとを一対一にマッピングすることができる。
【０１５８】
例えば、ｓｍａｌｌ  ｃｅｌｌで収容することができる最大端末の数がＮ個である場合、前記ｓｍａｌｌ  ｃｅｌｌの基地局は、Ｎ個の端末のためのＣＰゾーンを予め割り当て、Ｎ個を超過する端末に対してはセル進入を許さないことにより、セル内の端末とＣＰＲＢとが一対一にマッピングされるようにすることができる。
【０１５９】
もし、端末とＣＰＲＢとの一対一マッピング方法を端末のセル進入後にＲＡＣＨプロシージャのために使用する場合には、端末がセルに進入する前に端末と基地局との間に暗示的に（ｉｍｐｌｉｃｉｔ）ＣＰＲＢ割当方法が互いに約束される。すなわち、マクロセル（ｍａｃｒｏ  ｃｅｌｌ）と連結性のある端末がｄｕａｌ  ｃｏｎｎｅｃｔｉｖｉｔｙを介してｓｍａｌｌ  ｃｅｌｌとの連結を追加する場合、前記ｓｍａｌｌ  ｃｅｌｌと前記ｍａｃｒｏ  ｃｅｌｌとの間のバックホールインターフェース（ｂａｃｋｈａｕｌ  ｉｎｔｅｒｆａｃｅ）を介して端末に予めＣＰＲＢを割り当てることができる。
【０１６０】
ここで、ｄｕａｌ  ｃｏｎｎｅｃｔｉｖｉｔｙとは、ａｎｃｈｏｒ−ｂｏｏｓｔｅｒ、ｃａｒｒｉｅｒ  ａｇｇｒｅｇａｔｉｏｎ、またはｓｉｍｕｌｔａｎｅｏｕｓ  ｍｕｌｔｉ−ＲＡＴ  ｃｏｍｍｕｎｉｃａｔｉｏｎなどのような技術をいう。
【０１６１】
すなわち、ＣＰゾーンが設定されたセルに位置した端末は、ｌｏｗ  ｌａｔｅｎｃｙを要求するＵＬ  ｄａｔａがある場合、前記ＵＬ  ｄａｔａ送信のための基地局のスケジューリング無しで（ＵＬ  Ｇｒａｎｔ無しで）端末は設定されたＣＰゾーンを介してＵＬ  ｄａｔａを基地局に直ちに送信することができる。
【０１６２】
ＣＰゾーンは、ｌｏｗ  ｌａｔｅｎｃｙを要求する端末のＵＬ  ｄａｔａ送信の場合であれば、幅広く使用されることが好ましいが、ＣＰゾーンは、特定プロシージャ内で送信されるＵＬ  ｄａｔａ（一例として、ランダム接続過程のＲＲＣ要請メッセージ及び／又はＮＡＳ要請メッセージ、ＢＳＲプロシージャ内のＢＳＲ送信等）に対してのみ制限的に使用されることもできる。
【０１６３】
また、ＣＰゾーンは、図１３に示されたように、プロシージャ別に異なるように設定されることもできる。
【０１６４】
ＣＰゾーンは、目的に応じて１つ以上のゾーンに定義されることができる。例えば、ＲＡＣＨプロシージャのために設定されるＣＰゾーン領域とＢＳＲプロシージャのために設定されるＣＰゾーン領域とは区別して設定されることができる。すなわち、他の目的で定義される各ＣＰゾーンは、他のＳｕｂ−Ｆｒａｍｅに各々設定されるか、同一Ｓｕｂ−Ｆｒａｍｅ内の他の資源領域に各々設定されることができる。
【０１６５】
図１３において、ＲＡＣＨプロシージャのためのＣＰゾーンとＢＳＲなど、他のプロシージャのためのＣＰゾーンとが異なるように設定されたことが分かる。
【０１６６】
ＣＰゾーン関連情報送信方法
【０１６７】
図１４は、ＣＰゾーンと関連した情報送信方法の一例を示した図である。
【０１６８】
特定セルにＣＰゾーンが設定されている場合、基地局（または特定セル）は（特定セル内の）端末に前記特定セルに設定されたＣＰゾーン関連制御情報を送信する（Ｓ１４１０）。
【０１６９】
ここで、特定セルは、フェムトセル、ピコセル、マイクロセルなどのようなスモールセル（Ｓｍａｌｌ  ｃｅｌｌ）またはマクロセルを意味できる。
【０１７０】
前記ＣＰゾーン関連制御情報は、前記特定セルにＣＰゾーンが設定されたか否かを表すＣＰゾーン設定報知情報を含む。
【０１７１】
また、前記ＣＰゾーン関連制御情報は、前記特定セルにＣＰゾーンが設定されている場合、前記ＣＰゾーン構成など、前記ＣＰゾーン設定と関連した情報であるＣＰゾーン設定情報をさらに含む。
【０１７２】
前記ＣＰゾーン設定情報は、ＣＰゾーンが設定された上向きリンク資源（ＵＬ  ｒｅｓｏｕｒｃｅ）情報、ＣＰゾーン内のＣＰＲＢに送信され得るデータ送信と関連した情報を含むことができる。
【０１７３】
前記ＣＰゾーンが設定された上向きリンク資源情報は、Ｒｅｓｏｕｒｃｅ  ｕｔｉｌｉｚａｔｉｏｎを考慮して、ＣＰゾーンが設定されていないＵＬ  Ｓｕｂ−Ｆｒａｍｅの情報を含むこともできる。
【０１７４】
前述したように、１つのＣＰゾーンは、１つ以上の端末が占有できるＮ（自然数）個のＣＰＲＢで構成されることができる。
【０１７５】
前記ＣＰゾーンが設定された上向きリンク資源情報は、特定時点に任意の１つの端末がＣＰゾーンの資源を占有しようと試みることができるＣＰゾーンの個数（Ｍ）を表す値を含むことができる。
【０１７６】
ここで、Ｎ×Ｍの値は、特定時点に任意の１つの端末が選択（または占有）できるＣＰＲＢの総数を表す。
【０１７７】
例えば、１個のＣＰゾーンに４個のＣＰＲＢを有する同じ目的のＣＰゾーンが２個である場合（２個のＣＰゾーンが１つのＣＰグループを形成）、端末は、８（４×２）個の候補（ｃａｎｄｉｄａｔｅ）ＣＰＲＢを有することができる。
【０１７８】
前記設定されたＣＰＲＢに送信されることができるデータ送信と関連した情報としては、端末毎の最大資源ブロックサイズ（Ｍａｘｉｍｕｍ    ｒｅｓｏｕｒｃｅ  ｂｌｏｃｋ  ｓｉｚｅ）、ＭＣＳ（Ｍｏｄｕｌａｔｉｏｎ  ａｎｄ  Ｃｏｄｉｎｇ  Ｓｃｈｅｍｅ）レベル、初期送信電力基準信号（ｉｎｉｔｉａｌ  ｔｒａｎｓｍｉｓｓｉｏｎ  ｐｏｗｅｒ  ｒｅｆｅｒｅｎｃｅ）などがありうる。
【０１７９】
前記ＣＰゾーン関連制御情報は、ブロードキャストメッセージ（Ｂｒｏａｄｃａｓｔ  Ｍｅｓｓａｇｅ）に送信されるか、特定端末のためにユニキャストメッセージ（ｕｎｉｃａｓｔ  ｍｅｓｓａｇｅ）に送信されることができる。
【０１８０】
具体的に、前記ＣＰゾーン関連制御情報は、下記のような４つの方式で送信されることができるが、これに限定されず、様々な方式で送信されることができることはもちろんである。
【０１８１】
第１に、ＣＰゾーン関連制御情報は、ＭＩＢ（Ｍａｓｔｅｒ  Ｉｎｆｏｒｍａｔｉｏｎ  Ｂｌｏｃｋ）を介して端末に送信されることができる。Ｅｓｓｅｎｔｉａｌ  ｐｈｙｓｉｃａｌ  ｌａｙｅｒ  ｉｎｆｏｒｍａｔｉｏｎを送信するＭＩＢに前記ＣＰゾーン関連制御情報が含まれ得る。
【０１８２】
第２に、ＣＰゾーン関連制御情報は、既存のＳＩＢ−ｘを介して端末に送信されることができる。
【０１８３】
ＳＩＢ−ｘを介して送信される場合は、初期網接続のためにＣＰゾーンが設定される場合であって、前記ＣＰゾーン関連制御情報は、ＳＩＢ−２に含まれて送信されることができる。
【０１８４】
一例として、ＲＡＣＨプロシージャのためにＣＰゾーンが設定される場合、ＳＩＢ−２にＣＰゾーンに関する情報を追加して端末がセルに接続する前にｃｏｎｔｅｎｔｉｏｎ  ｂａｓｅｄ  ＲＲＣ  ｃｏｎｎｅｃｔｉｏｎ  ｒｅｑｕｅｓｔメッセージ送信（例えば、２−ｓｔｅｐ  ＲＡ）を介してセルに接続できることを予め認知させる。
【０１８５】
第３に、ＣＰゾーン関連制御情報は、新しいＳＩＢ−ｙを介して端末に送信されることができる。
【０１８６】
すなわち、網接続後のプロシージャのためにＣＰゾーンが設定される場合、新しいＳＩＢ定義を介して送信されることができる。
【０１８７】
ここで、基地局は、新しいＳＩＢ情報を受信すべきセルであることを知らせるｉｎｄｉｃａｔｉｏｎをＭＩＢ、ＳＩＢ−１、またはＳＩＢ−２に含めて端末に送信することができる。
【０１８８】
第４に、ＣＰゾーン関連制御情報は、新しいｃｏｎｔｒｏｌ  ｍｅｓｓａｇｅを介してｕｎｉｃａｓｔ方式で特定端末に送信されることができる。
【０１８９】
端末がセルに接続した場合、ＣＰゾーンを用いる必要がある端末のみに前記ＣＰゾーン関連制御情報をユニキャストメッセージを介して送信することにより、前記ＣＰゾーン関連制御情報を特定端末のみが受信するようにさせることができる。
【０１９０】
この場合、端末は、セルに接続（または進入）する場合、ＣＰゾーン利用を知らせる情報をセル接続の際に基地局に送信するメッセージなどに含めて基地局に送信することにより、基地局が前記端末にＣＰゾーン関連制御情報をユニキャストメッセージを介して送信するようにさせることができる。
【０１９１】
前記ＣＰゾーン設定報知情報及び前記ＣＰゾーン設定情報は、前述したように、前記ＣＰゾーン関連制御情報に含まれて様々な形式（ＳＩＢ、ＭＩＢ、Ｕｎｉｃａｓｔ  Ｍｅｓｓａｇｅ等）によって端末に送信されることができ、前記ＣＰゾーン報知情報と前記ＣＰゾーン設定情報とが各々異なるメッセージなどを介して別に送信されることもできる。
【０１９２】
ここで、前記ＣＰゾーン設定報知情報と前記ＣＰゾーン設定情報とが別に送信される場合にも、前述したＳＩＢ、ＭＩＢ、Ｕｎｉｃａｓｔ  Ｍｅｓｓａｇｅなど、様々な形式によって送信され得ることはもちろんである。
【０１９３】
競争基盤ＰＵＳＣＨゾーン（ＣＰゾーン）動的設定方法
【０１９４】
基地局スケジュールリング基盤でＵＬ資源割当を介してＵＬデータを送信する無線通信システムにおいて、前述したＣＰゾーンを用いる場合、基地局は、ＣＰゾーンに該当するＰＵＳＣＨ資源を予め定義しなければならない。
【０１９５】
また、基地局は、非競争基盤のスケジュールされたＵＬ資源領域と競争基盤のＵＬ資源領域（ＣＰゾーン）とを介してＵＬデータ送信の際、衝突が発生しないようにスケジュールされたＵＬ資源領域とＣＰゾーンとを各々分離して予め設定しなければならない。
【０１９６】
様々な実施形態に適用するために、前記非競争基盤のスケジュールされたＵＬ資源領域は、第１のＵＬ資源領域として、前記ＣＰゾーン、すなわち、前記競争基盤のＵＬ資源領域は、第２のＵＬ資源領域として表現されることができる。
【０１９７】
しかし、前記第１のＵＬ資源領域と前記第２のＵＬ資源領域領域とを常に固定的に予め占有しておく場合、スケジューリングしなければならない端末が多く、使用しない競争基盤のＵＬ資源がある場合、不要に資源を浪費するという問題がありうる。
【０１９８】
以下において、ＣＰゾーン設定を介して発生できる資源の非効率性問題を緩和するために、セル内のスケジュールされた（ｓｃｈｅｄｕｌｅｄ）上向きリンク資源を基盤としてＣＰゾーンを動的に設定するための方法について具体的に説明する。
【０１９９】
ＣＰゾーンを動的に設定するために、（１）セルの基本ＣＰゾーン（Ｃｏｎｔｅｎｔｉｏｎ−ｂａｓｅｄ  ＰＵＳＣＨ  Ｚｏｎｅ）／基本ＣＰＲＢ（Ｃｏｎｔｅｎｔｉｏｎ−ｂａｓｅｄ  ＰＵＳＣＨ  Ｒｅｓｏｕｒｃｅ  Ｂｌｏｃｋ）定義及び（２）Ｎ番目のサブフレーム（ｓｕｂｆｒａｍｅ：ＳＦ）のＣＰゾーンを動的に設定する方法について説明する。
【０２００】
（２）の場合、Ｎ−ｘ番目のサブフレームの物理下向きリンク制御チャネル（ＰＤＣＣＨ）または物理下向きリンクデータチャネル（ＰＤＳＣＨ）を介してｎ番目のサブフレームのＣＰ  ｚｏｎｅを設定するようにさせることができる。
【０２０１】
説明の都合上、ｘ＝４である場合（Ｎ−４番目）を一例に挙げて説明するが、前記ｘ値は、端末のプロセシング遅延（ｐｒｏｃｅｓｓｉｎｇ  ｄｅｌａｙ）及びシステムＴＴＩ（Ｔｒａｎｓｍｉｓｓｉｏｎ  Ｔｉｍｉｎｇ  Ｉｎｔｅｒｖａｌ）を考慮して他の値に設定されることができる。
【０２０２】
本明細書において使用されるＣＰゾーン、ＣＰゾーン資源、ＣＰゾーン資源領域は、競争基盤の上向きリンク資源領域を表すものであって、同じ意味に解釈することができ、以下では、説明の都合上、混用する。
【０２０３】
図１５は、本明細書において提案する動的に設定されたＣＰゾーンの一例を示した図である。
【０２０４】
図１５に示されたように、ＵＬ資源領域にはＰＵＣＣＨとＰＵＳＣＨが割り当てられ、ＰＵＣＣＨは、周波数資源領域の上側部分と下側部分に割り当てられる。
【０２０５】
また、ＰＵＳＣＨは、前記ＰＵＣＣＨが割り当てられたＵＬ資源領域を除いたＵＬ資源領域に割り当てられ、前記ＰＵＳＣＨが割り当てられる領域にスケジュールされたＵＬ資源領域とＣＰゾーン領域とが各々分離されて設定されることができる。
【０２０６】
ここで、前記ＣＰゾーンは、サブフレーム別に設定されることができ、サブフレーム別に割り当てられるＣＰゾーンのサイズは、サブフレーム別に異なるように設定されることができる。
【０２０７】
図１６は、本明細書において提案するＣＰゾーンを動的に設定するための方法の一例を示したフローチャートである。
【０２０８】
ＣＰゾーンを動的に設定する方法として、まず、セル内の基本ＣＰゾーンを設定し（または割り当て）、前記基本ＣＰゾーンの資源情報を参照してサブフレーム毎に動的に設定され得る実際ＣＰゾーンを設定する。
【０２０９】
前記実際ＣＰゾーンは、必要に応じて設定されることができる。
【０２１０】
前記基本ＣＰゾーンは、サブフレーム別に設定（または割当）され得る競争基盤のＵＬ資源領域の基本になる情報をいい、セルのＣＰゾーンまたは参照ＣＰゾーンなどとして表現されることができる。
【０２１１】
前記基本ＣＰゾーンは、非競争基盤のスケジュールされたＵＬ資源領域と区分されてＰＵＳＣＨ領域上に設定されることができる。
【０２１２】
ここで、前記基本ＣＰゾーンの資源情報、すなわち、基本ＣＰゾーン資源情報は、サブフレーム毎に変わり得る実際ＣＰゾーンのレファレンス（ｒｅｆｅｒｅｎｃｅ）値で使用されることができる。
【０２１３】
ここで、前記基本ＣＰゾーン資源情報は、基本ＣＰゾーン資源領域情報、１つのＣＰＲＢに対する資源サイズ情報、前記基本ＣＰゾーン内のＣＰＲＢ個数（Ｎ）情報、ＣＰＲＢを介して送信するＵＬデータの情報などを含むことができる。
【０２１４】
前記基本ＣＰゾーン資源領域情報は、前記基本ＣＰゾーンのＵＬ資源領域を表す情報をいい、ＲＢ  ｉｎｄｅｘ、ＣＰゾーン資源の開始／終了オフセット（ｏｆｆｓｅｔ）値などで表示されることができる。
【０２１５】
すなわち、前記基本ＣＰゾーン資源領域情報は、ＲＢ  ｉｎｄｅｘ、資源の開始及び／又は終了オフセット値などを用いてスケジュールされたＵＬ資源領域との境界地点情報を表すことができる。
【０２１６】
前記資源の開始及び／又は終了オフセット値を用いた基本ＣＰゾーン資源領域については、後述する図１７を介して具体的に説明する。
【０２１７】
前記基本ＣＰゾーンには、少なくとも１つのＣＰＲＢが定義され得る。
【０２１８】
前記ＣＰＲＢを介して送信するＵＬデータの情報は、端末当たり最大ＵＬデータサイズ（Ｍａｘｉｍｕｍ  ｄａｔａ  ｓｉｚｅ  ｐｅｒ  ＵＥ）、ＭＣＳレベル（ＭＣＳ  ｌｅｖｅｌ）、初期送信パワーレファレンス（ｉｎｉｔｉａｌ  ｔｒａｎｓｍｉｓｓｉｏｎ  ｐｏｗｅｒ  ｒｅｆｅｒｅｎｃｅ）などがありうる。
【０２１９】
前記基本ＣＰゾーン資源情報は、図１４で説明したように、ＣＰゾーン関連制御情報に含まれて送信されることができる。
【０２２０】
したがって、前記基本ＣＰゾーン資源情報は、ＳＩＢ（Ｓｙｓｔｅｍ  Ｉｎｆｏｒｍａｔｉｏｎ  Ｂｌｏｃｋ）などのシステム情報メッセージを介して送信されることができる。
【０２２１】
前記基本ＣＰゾーン資源情報の送信方法と関連した具体的な内容は、図１４を参照する。
【０２２２】
図１７は、本明細書において提案する様々な基本ＣＰゾーン資源領域の一例を示した図である。
【０２２３】
図１７ａは、資源の開始オフセット値及び終了オフセット値を用いたＣＰゾーン資源領域の一例を示し、図１７ｂは、資源の開始オフセット値のみを用いたＣＰゾーン資源領域の一例を示し、図１７ｃは、資源の終了オフセット値のみを用いたＣＰゾーン資源領域の一例を示す。
【０２２４】
図１７の場合、基本ＣＰゾーン資源領域は、ＣＰゾーンの最初資源ｏｆｆｓｅｔ値とＣＰゾーンの最後資源ｏｆｆｓｅｔ値で表示されることが分かる。
【０２２５】
この場合、基本ＣＰゾーン資源領域情報は、基本ＣＰゾーン資源領域の最初資源ｏｆｆｓｅｔ値と基本ＣＰゾーン資源領域の最後資源ｏｆｆｓｅｔ値を含むことができる。
【０２２６】
図１７ｂの場合、基本ＣＰゾーン資源領域は、ＣＰゾーンの最初資源ｏｆｆｓｅｔ値のみで表示されることが分かる。
【０２２７】
すなわち、基本ＣＰゾーン資源領域がＵＬ資源毎の最後資源領域として定義される場合、前記基本ＣＰゾーン資源領域情報は、基本ＣＰゾーンの最初資源ｏｆｆｓｅｔ値のみを含むことができる。
【０２２８】
図１７ｃの場合、基本ＣＰゾーン資源領域は、ＣＰゾーンの最後資源ｏｆｆｓｅｔ値のみで表示されることが分かる。
【０２２９】
すなわち、基本ＣＰゾーン資源領域がＵＬ資源毎の最初資源領域として定義される場合、前記基本ＣＰゾーン資源領域情報は、基本ＣＰゾーンの最後資源ｏｆｆｓｅｔ値のみを含むことができる。
【０２３０】
図１７ｄは、基本ＣＰゾーンを構成する少なくとも１つの基本ＣＰＲＢを示す。
【０２３１】
１つの基本ＣＰゾーン資源領域には、Ｎ個のＣＰＲＢが含まれ得る。
【０２３２】
以下において、ＣＰゾーンの動的設定方法のうち、Ｎ番目のサブフレームのみでＣＰゾーンを設定する方法について具体的に説明する。
【０２３３】
特定時点に端末数の増加などのため、ＵＬデータトラフィック量が増加した場合、ＣＰゾーン設定により限定されたＵＬ資源のため、基地局は、スケジューリングを介して端末に割り当てるべきＵＬ資源を次のサブフレームに遅らせなければならない状況が発生できる。この場合、ＵＬデータ送信において遅延が発生するようになる。
【０２３４】
したがって、以下では、基地局のスケジュールされたＵＬ資源が不足した時点（または場合）に対してのみ、予め設定されたＣＰゾーンを一時的に減らすことにより、端末に割り当てることができるスケジュールされたＵＬ資源を増やすことができる方法について説明する。
【０２３５】
すなわち、前述した基本ＣＰゾーン資源情報をレファレンス（ｒｅｆｅｒｅｎｃｅ）として特定サブフレーム（ｓｕｂ−ｆｒａｍｅ）のみでＣＰゾーン資源領域を動的に設定するようにさせることができる。
【０２３６】
また、特定サブフレームのみでＣＰゾーンを設定する方法は、Ｎ−４番目のサブフレームでＮ番目のサブフレームに対するＵＬ資源をスケジューリングするとき、スケジューリングするＵＬ資源が多く残る場合には、ＣＰゾーンを増やすために使用されることもできる。
【０２３７】
図１８は、本明細書において提案する動的ＣＰゾーン設定方法の一例を示したフローチャートである。
【０２３８】
すなわち、Ｎ番目のｓｕｂ−ｆｒａｍｅでＣＰ  ｚｏｎｅを動的に設定するために、Ｎ−ｘ番目のｓｕｂ−ｆｒａｍｅの物理下向きリンクチャネル（ＰＤＣＣＨまたはＰＤＳＣＨ）を介してＮ番目のｓｕｂ−ｆｒａｍｅのＣＰゾーンに関する情報、すなわち、ＣＰゾーン資源情報を送信できるようにする。
【０２３９】
ここで、前記ｘ値は、データを送信した時点から当該データを受信、デコード、新しいデータをエンコードするまでにかかる遅延を全て考慮した時間を表す。
【０２４０】
一例として、ＬＴＥ（−Ａ）の場合、ｐｒｏｃｅｓｓｉｎｇ  ｄｅｌａｙとＴＴＩによって前記ｘ値は４ｍｓに定義される。
【０２４１】
ただし、前記ｘ値は、システムの物理構造及び端末性能によって様々な値に設定されることができ、前記ｘ値は、サブフレーム単位（整数値）、時間単位（ｍｓ）などとして表現されることもできる。
【０２４２】
まず、基地局は、図１６で説明したように、ＣＰゾーンを動的に設定するに先立ち、セル内の基本ＣＰゾーン資源情報を端末に送信する（Ｓ１８１０）。
【０２４３】
その後、基地局は、ＰＤＣＣＨまたはＰＤＳＣＨを介してＮ−Ｘ番目のサブフレームでＮ番目のサブフレームに設定されるＣＰゾーン資源情報を端末に送信する（Ｓ１８２０）。
【０２４４】
ここで、前記ＣＰゾーン資源情報の送信は、（１）新しいＲａｄｉｏ  Ｎｅｔｗｏｒｋ（Ｔｅｍｐｏｒａｒｙ）  Ｉｄｅｎｔｉｆｉｅｒ設定（ｅ．ｇ．、ＣＰ−ＲＮＴＩ）及び（２）Ｓｙｓｔｅｍ  Ｉｎｆｏｒｍａｔｉｏｎを介して行われることができる。
【０２４５】
前記（１）及び（２）のＣＰゾーン資源情報送信と関連した事項については、後述する図１９〜図２１を参照して具体的に説明する。
【０２４６】
その後、前記端末は、前記ＣＰゾーン資源情報を参照してＮ番目のサブフレームに設定されたＣＰゾーンのＣＰＲＢを介して前記基地局にＵＬデータを送信する（Ｓ１８３０）。
【０２４７】
図１９は、本明細書において提案する動的ＣＰゾーン設定方法の一例を示したフローチャートである。
【０２４８】
図１９に示すように、基地局は、端末に基本（または参照）ＣＰゾーン資源情報を含む第１の制御メッセージを送信する（Ｓ１９１０）。
【０２４９】
前記第１の制御メッセージは、システム情報メッセージであって、ＳＩＢ−２でありうる。
【０２５０】
前記基本ＣＰゾーン資源情報は、図１５において説明した基本ＣＰゾーン資源領域情報、基本ＣＰＲＢ関連情報を含む。
【０２５１】
前記ＣＰゾーン資源情報及びこれを送信する制御メッセージに対する具体的な内容は、図１５を参照する。
【０２５２】
ここで、前記端末は、Ｌｏｗ  ｌａｔｅｎｃｙを要求するデータを有する端末でありうる。
【０２５３】
その後、前記基地局は、ＵＬデータトラフィック増加などによりＵＬ資源割当の調節（または変動）が必要な場合、すなわち、Ｓ１９１０ステップを介して予め割り当てられた基本ＣＰゾーン資源の調節が必要な場合、変動されたＣＰゾーン資源情報を含む第２の制御メッセージを送信する（Ｓ１９２０）。
【０２５４】
前記第２の制御メッセージは、（１）ＰＤＣＣＨを介して送信されるＵＬ  Ｇｒａｎｔまたは（２）Ｓｙｓｔｅｍ  Ｉｎｆｏｒｍａｔｉｏｎでありうる。
【０２５５】
前記ＵＬ  Ｇｒａｎｔは、ＵＬ資源割当メッセージなどとして表現されることもできる。
【０２５６】
前記第２の制御メッセージがＵＬ  Ｇｒａｎｔである場合、前記基地局は、前記端末で前記変動されたＣＰゾーン資源情報を受信できるように、新しいＲＮＴＩ（Ｒａｄｉｏ  Ｎｅｔｗｏｒｋ  Ｔｅｍｐｏｒａｒｙ  Ｉｄｅｎｔｉｆｉｅｒ）により前記第２の制御メッセージをＣＲＣマスキング（ｍａｓｋｉｎｇ）して前記端末に送信する。
【０２５７】
前記新しいＲＮＴＩは、ＣＰ（Ｃｏｎｔｅｎｔｉｏｎ−ｂａｓｅｄ  ＰＵＳＣＨ）−ＲＮＴＩに定義されることができる。
【０２５８】
また、前記第２の制御メッセージがＵＬ  Ｇｒａｎｔである場合、（１）既存のＬＴＥ（−Ａ）システムで定義されているＵＬ  Ｇｒａｎｔを使用するか、または（２）ＣＰゾーン割当のための新しいＵＬ  Ｇｒａｎｔを定義して使用することができる。
【０２５９】
前記新しいＵＬ  Ｇｒａｎｔを定義する場合、これは、ＵＬ  ＣＰゾーンＧｒａｎｔとして表現されることができる。
【０２６０】
既存のＵＬ  Ｇｒａｎｔ（（１）の場合）を使用して変動されたＣＰゾーン資源情報を送信する場合、基地局は、既存のＵＬ資源割当方法（ｅ．ｇ．、ＬＴＥ（−Ａ）の場合、ＤＣＩ  ｆｏｒｍａｔ  ０を介してのＵＬ  Ｇｒａｎｔ）を利用してＣＰゾーンの資源割当のために使用されるユーザＩｄｅｎｔｉｆｉｅｒ（ｅ．ｇ．、ＣＰ−ＲＮＴＩ）によりＣＲＣ  ｍａｓｋｉｎｇされたＵＬ  ＧｒａｎｔをＰＤＣＣＨに送信する。
【０２６１】
また、既存のＵＬ  Ｇｒａｎｔを介しての変動されたＣＰゾーン資源情報は、ｃｏｍｍｏｎ  ｓｅａｒｃｈ  ｓｐａｃｅまたはＵＥ−ｓｐｅｃｉｆｉｃ  ｓｅａｒｃｈ  ｓｐａｃｅに全て送信されることができる。
【０２６２】
ただし、前記変動されたＣＰゾーン資源情報は、１つ以上の端末に送信されるｂｒｏａｄｃａｓｔ情報とみることができるので、ｃｏｍｍｏｎ  ｓｅａｒｃｈ  ｓｐａｃｅに送信されることが好ましい。
【０２６３】
または、新しく定義されたＵＬ  Ｇｒａｎｔ（（２）の場合）を使用して変動されたＣＰゾーン資源情報を送信する場合、ＵＬ  ＣＰゾーン割当のために必要な情報フィールドのみで構成されたＵＬ  Ｇｒａｎｔを定義することができる。
【０２６４】
この場合、新しいＤＣＩ  ｆｏｒｍａｔを（ＤＣＩ  ｆｏｒｍａｔ  ０Ａ）定義し、これを介して変動されたＣＰゾーン資源情報を送信できる。
【０２６５】
前記変動されたＣＰゾーン資源情報は、ＣＰ  ｚｏｎｅ資源領域フィールド（ｅ．ｇ．、ＣＰゾーン資源の開始及び／又は終了ＲＢ  ｉｎｄｅｘ）、ＣＰＲＢ個数フィールド（ｅ．ｇ．、Ｎまたは±ｉ、ここで、ｉはＣＰＲＢ変化数）などを含むことができる。
【０２６６】
ＣＰゾーン割当のために新しく定義されたＵＬ  Ｇｒａｎｔを介しての変動されたＣＰゾーン資源情報は、ｃｏｍｍｏｎ  ｓｅａｒｃｈ  ｓｐａｃｅまたはＵＥ−ｓｐｅｃｉｆｉｃ  ｓｅａｒｃｈ  ｓｐａｃｅに全て送信されることができる。
【０２６７】
ただし、前記変動されたＣＰゾーン資源情報は、１つ以上の端末に送信されるｂｒｏａｄｃａｓｔ情報とみることができるので、ｃｏｍｍｏｎ  ｓｅａｒｃｈ  ｓｐａｃｅに送信されることが好ましい。
【０２６８】
次に、前記第２の制御メッセージがＳｙｓｔｅｍ  Ｉｎｆｏｒｍａｔｉｏｎである場合、前記基地局は、前記端末で前記変動されたＣＰゾーン資源情報を受信できるように、ＳＩ−ＲＮＴＩにより前記第２の制御メッセージをＣＲＣマスキング（ｍａｓｋｉｎｇ）して、前記端末に送信する。
【０２６９】
前記Ｓｙｓｔｅｍ  Ｉｎｆｏｒｍａｔｉｏｎは、ＳＩＢ、ＳＩＢ−２、ＳＩＢ−Ｘなどでありうる。
【０２７０】
前述したように、前記変動されたＣＰゾーン資源情報は、ＣＰ  ｚｏｎｅ資源領域フィールド（ｅ．ｇ．、ＣＰゾーン資源の開始及び／又は終了ＲＢ  ｉｎｄｅｘ）、ＣＰＲＢ個数フィールド（ｅ．ｇ．、Ｎまたは±ｉ、ここで、ｉはＣＰＲＢ変化数）などを含むことができる。
【０２７１】
ここで、Ｓｙｓｔｅｍ  Ｉｎｆｏｒｍａｔｉｏｎは、全ての端末が受信するメッセージであって、前記Ｓｙｓｔｅｍ  Ｉｎｆｏｒｍａｔｉｏｎを介して変動されたＣＰゾーン資源情報を送信する場合、ＣＰゾーンを用いてデータを送信しようとする端末でなければ、端末で不要な情報受信になることができる。
【０２７２】
したがって、前記変動されたＣＰゾーン資源情報をＳＩＢを介して送信してもＬｏｗ  ｌａｔｅｎｃｙ送信を要求する端末のみ、すなわち、ＣＰゾーンを用いる端末のみが前記Ｓｙｓｔｅｍ  Ｉｎｆｏｒｍａｔｉｏｎを受信できるように特定ＳＩＢ−ｘを新しく定義することもできる。
【０２７３】
Ｓ１９２０ステップにおいて、前記基地局は、Ｎ番目のサブフレームのみにＣＰゾーンを設定するために、Ｎ−４番目のサブフレームで前記変動されたＣＰゾーン資源情報を含む第２の制御メッセージを送信する。
【０２７４】
また、Ｓ１９２０ステップにおいて、前記端末は、ＣＰ−ＲＮＴＩまたはＳＩ−ＲＮＴＩによりＣＲＣ  ｍａｓｋｉｎｇされた第２の制御メッセージを受信するためにブラインドデコードを行うようになる。
【０２７５】
前述したように、ＣＰ−ＲＮＴＩによりＣＲＣ  ｍａｓｋｉｎｇされた場合は、前記第２の制御メッセージがＵＬ  Ｇｒａｎｔであり、ＳＩ−ＲＮＴＩによりＣＲＣ  ｍａｓｋｉｎｇされた場合は、前記第２の制御メッセージがＳｙｓｔｅｍ  Ｉｎｆｏｒｍａｔｉｏｎである場合に該当し得る。
【０２７６】
その後、前記端末は、Ｎ−４番目のサブフレームを介して受信された第２の制御メッセージに基づいて、Ｎ番目のサブフレームに予め割り当てられたＣＰゾーン資源領域（基本ＣＰゾーン資源領域）に変動があることを確認し、前記変動されたＣＰゾーンを介してＵＬデータを前記基地局に送信する（Ｓ１９３０）。
【０２７７】
図２０は、本明細書において提案する動的ＣＰゾーン設定方法のさらに他の一例を示したフローチャートである。
【０２７８】
図２０は、図１９の第２の制御メッセージがＵＬ  Ｇｒａｎｔであり、前記ＵＬ  ＧｒａｎｔがＣＰ−ＲＮＴＩによりＣＲＣマスキングされた場合を示す。
【０２７９】
図２０のＳ２０１０ないしＳ２０３０ステップは、図１９のＳ１９１０ないしＳ１９３０ステップと対応するので、具体的な内容は図１９を参照する。
【０２８０】
図２１は、本明細書において提案する動的ＣＰゾーン設定方法のさらに他の一例を示したフローチャートである。
【０２８１】
図２１は、図１９の第２の制御メッセージがＳｙｓｔｅｍ  Ｉｎｆｏｒｍａｔｉｏｎであり、前記Ｓｙｓｔｅｍ  ＩｎｆｏｒｍａｔｉｏｎがＳＩ−ＲＮＴＩによりＣＲＣマスキングされた場合を示す。
【０２８２】
図２１のＳ２１１０ないしＳ２１３０ステップは、図１９のＳ１９１０ないしＳ１９３０ステップと対応するので、具体的な内容は図１９を参照する。
【０２８３】
本発明が適用され得る装置一般
【０２８４】
図２２は、本明細書において提案する方法が適用され得る無線通信装置のブロック構成図を例示する。
【０２８５】
図２２に示すように、無線通信システムは、基地局２２１０と、基地局２２１０領域内に位置した複数の端末２２２０とを備える。
【０２８６】
基地局２２１０は、プロセッサ（ｐｒｏｃｅｓｓｏｒ、２２１１）、メモリ（ｍｅｍｏｒｙ、２２１２）、及びＲＦ部（ｒａｄｉｏ  ｆｒｅｑｕｅｎｃｙ  ｕｎｉｔ、２２１３）を備える。プロセッサ２２１１は、前述した図１〜図２１において提案された機能、過程、及び／又は方法を実現する。無線インターフェースプロトコルの階層は、プロセッサ２２１１により実現されることができる。メモリ２２１２は、プロセッサ２２１１と連結されて、プロセッサ２２１１を駆動するための様々な情報を格納する。ＲＦ部２２１３は、プロセッサ２２１１と連結されて、無線信号を送信及び／又は受信する。
【０２８７】
端末２２２０は、プロセッサ２２２１、メモリ２２２２、及びＲＦ部２２２３を備える。プロセッサ２２２１は、前述した図１〜図２１において提案された機能、過程、及び／又は方法を実現する。無線インターフェースプロトコルの階層は、プロセッサ２２２１により実現されることができる。メモリ２２２２は、プロセッサ２２２１と連結されて、プロセッサ２２２１を駆動するための様々な情報を格納する。ＲＦ部２２２３は、プロセッサ２２２１と連結されて、無線信号を送信及び／又は受信する。
【０２８８】
メモリ２２１２、２２２２は、プロセッサ２２１１、２２２１内部または外部にありうるし、よく知られた様々な手段でプロセッサ２２１１、２２２１と連結されることができる。
【０２８９】
また、基地局２２１０及び／又は端末２２２０は、１つのアンテナ（ｓｉｎｇｌｅ  ａｎｔｅｎｎａ）または多重アンテナ（ｍｕｌｔｉｐｌｅ  ａｎｔｅｎｎａ）を有することができる。
【０２９０】
以上で説明された実施形態は、本発明の構成要素と特徴が所定の形態で組み合わせられたものである。各構成要素または特徴は、別の明示的言及がない限り、選択的なことと考慮されなければならない。各構成要素または特徴は、他の構成要素や特徴と組み合わせられなかった形態で実施されることができる。また、一部構成要素及び／又は特徴を組み合わせて本発明の実施形態を構成することも可能である。本発明の実施形態で説明される動作等の順序は変更されることができる。ある実施形態の一部構成や特徴は、他の実施形態に含まれることができ、あるいは、他の実施形態の対応する構成または特徴と交替されることができる。特許請求の範囲で明示的な引用関係がない請求項を結合して実施形態を構成したり、出願後の補正により新しい請求項として含めることができることは自明である。
【０２９１】
本発明に係る実施形態は、様々な手段、例えば、ハードウェア、ファームウエア（ｆｉｒｍｗａｒｅ）、ソフトウェア、またはそれらの組み合わせなどにより実現されることができる。ハードウェアによる実現の場合、本発明の一実施形態は、１つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより実現されることができる。
【０２９２】
ファームウエアやソフトウェアによる実現の場合、本発明の一実施形態は、以上で説明された機能または動作を行うモジュール、手順、関数などの形態で実現されることができる。ソフトウェアコードは、メモリに格納されてプロセッサにより駆動されることができる。前記メモリは、前記プロセッサ内部または外部に位置し、既に公知された様々な手段により前記プロセッサとデータをやり取りすることができる。
【０２９３】
本発明は、本発明の必須的特徴を外れない範囲で他の特定の形態で具体化され得ることは当業者に自明である。したがって、上述した詳細な説明は、あらゆる面で制限的に解釈されてはならず、例示的なものと考慮されなければならない。本発明の範囲は、添付された請求項の合理的解釈により決定されなければならず、本発明の等価的範囲内でのあらゆる変更は、本発明の範囲に含まれる。
【産業上の利用可能性】
【０２９４】
本発明の無線通信システムにおける上向きリンクデータ送信のためのスケジューリング要請方案は、３ＧＰＰ  ＬＴＥ／ＬＴＥ−Ａシステムに適用される例を中心として説明したが、３ＧＰＰ  ＬＴＥ／ＬＴＥ−Ａシステムの他にも、様々な無線通信システムに適用することが可能である。
【図１】
0006568872.tif 000004
【図２】
0006568872.tif 000005
【図３】
0006568872.tif 000006
【図４】
0006568872.tif 000007
【図５】
0006568872.tif 000008
【図６】
0006568872.tif 000009
【図７】
0006568872.tif 000010
【図８】
0006568872.tif 000011
【図９】
0006568872.tif 000012
【図１０】
0006568872.tif 000013
【図１１】
0006568872.tif 000014
【図１２】
0006568872.tif 000015
【図１３】
0006568872.tif 000016
【図１４】
0006568872.tif 000017
【図１５】
0006568872.tif 000018
【図１６】
0006568872.tif 000019
【図１７】
0006568872.tif 000020
【図１８】
0006568872.tif 000021
【図１９】
0006568872.tif 000022
【図２０】
0006568872.tif 000023
【図２１】
0006568872.tif 000024
【図２２】
0006568872.tif 000025